(57)【要約】 【課題】生体効果映像を提供する電子機器を提供する。【解決手段】電子機器は、電子機器の動作を制御するプロセッサ、プロセッサに連結されて、電子機器のメインメモリとして動作するメモリ装置、およびプロセッサに連結されて、第１フレームにおいて原本映像に対する第１映像データに基づいて原本映像を表示して、第２フレームにおいて生体効果映像に対する第２映像データに基づいて生体効果映像を表示するディスプレイ装置を含む。【選択図】図１
2015215617.tif 000002
【特許請求の範囲】
【請求項１】
電子機器の動作を制御するプロセッサと、
前記プロセッサに連結されて、前記電子機器のメインメモリとして動作するメモリ装置と、
前記プロセッサに連結されて、第１フレームにおいて原本映像に対する第１映像データに基づいて前記原本映像を表示して、第２フレームにおいて生体効果映像に対する第２映像データに基づいて前記生体効果映像を表示するディスプレイ装置を含む電子機器。  
【請求項２】
前記プロセッサは、前記ディスプレイ装置を制御するグラフィック処理部を含み、
前記グラフィック処理部は、
前記生体効果映像に対する前記第２映像データを保存するメモリ部と、
前記第１フレームにおいて前記ディスプレイ装置に前記第１映像データを提供して、前記第２フレームにおいて前記ディスプレイ装置に前記第１映像データに代わって前記メモリ部に保存された前記第２映像データを提供する映像処理部を含むことを特徴とする請求項１に記載の電子機器。
【請求項３】
前記プロセッサは、前記ディスプレイ装置を制御するグラフィック処理部を含み、
前記グラフィック処理部は、
前記第１フレームにおいて前記ディスプレイ装置に前記第１映像データを提供して、前記第２フレームにおいて前記第１映像データを変調して前記第２映像データを生成して前記ディスプレイ装置に前記第２映像データを提供する映像処理部を含むことを特徴とする請求項１に記載の電子機器。
【請求項４】
前記プロセッサと前記ディスプレイ装置の間に連結されて、前記ディスプレイ装置を制御するグラフィックカードをさらに含み、
前記グラフィックカードは、
前記生体効果映像に対する前記第２映像データを保存するメモリ部と、
前記第１フレームにおいて前記ディスプレイ装置に前記第１映像データを提供して、前記第２フレームにおいて前記ディスプレイ装置に前記第１映像データに代わって前記メモリ部に保存された前記第２映像データを提供する映像処理部を含むことを特徴とする請求項１に記載の電子機器。
【請求項５】
前記プロセッサと前記ディスプレイ装置の間に連結されて、前記ディスプレイ装置を制御するグラフィックカードをさらに含み、
前記グラフィックカードは、
前記第１フレームにおいて前記ディスプレイ装置に前記第１映像データを提供して、前記第２フレームにおいて前記第１映像データを変調して前記第２映像データを生成して前記ディスプレイ装置に前記第２映像データを提供する映像処理部を含むことを特徴とする請求項１に記載の電子機器。
【請求項６】
前記メモリ装置は、前記生体効果映像に対する前記第２映像データ、および映像処理コードを保存して、
前記映像処理コードは、前記プロセッサによって実行されて、前記第１フレームにおいて前記ディスプレイ装置に前記第１映像データを提供して、前記第２フレームにおいて前記ディスプレイ装置に前記第１映像データに代わって前記メモリ装置に保存された前記第２映像データを提供することを特徴とする請求項１に記載の電子機器。
【請求項７】
前記メモリ装置は、映像処理コードを保存して、
前記映像処理コードは、前記プロセッサによって実行されて、前記第１フレームにおいて前記ディスプレイ装置に前記第１映像データを提供して、前記第２フレームにおいて前記第１映像データを変調して前記第２映像データを生成して前記ディスプレイ装置に前記第２映像データを提供することを特徴とする請求項１に記載の電子機器。
【請求項８】
前記ディスプレイ装置は、
ディスプレイパネルと、
前記ディスプレイパネル上に形成されて、前記生体効果映像に対する前記第２映像データおよび映像処理コードを保存する内部メモリを含み、
前記ディスプレイ装置の前記内部メモリに保存された前記映像処理コードは、前記プロセッサによって実行されて、前記第１フレームにおいて前記ディスプレイパネルに前記第１映像データを提供して、前記第２フレームにおいて前記ディスプレイパネルに前記第１映像データに代わって前記内部メモリに保存された前記第２映像データを提供することを特徴とする請求項１に記載の電子機器。
【請求項９】
前記ディスプレイ装置は、
ディスプレイパネルと、
前記原本映像に対する前記第１映像データ受信して、前記第１フレームにおいて前記原本映像が表示されるように前記第１映像データに基づいて前記ディスプレイパネルを駆動して、前記第２フレームにおいて前記生体効果映像が表示されるように前記第１映像データに代わって前記第２映像データに基づいて前記ディスプレイパネルを駆動するディスプレイドライバを含むことを特徴とする請求項１に記載の電子機器。
【請求項１０】
前記ディスプレイドライバは、
前記生体効果映像に対する前記第２映像データを保存するメモリ部と、
前記第１映像データを受信して、前記第１フレームにおいて前記第１映像データを出力して、前記第２フレームにおいて前記第１映像データに代わって前記メモリ部に保存された前記第２映像データを出力する映像処理部と、
前記第１フレームにおいて前記映像処理部から出力された前記第１映像データに基づいて前記ディスプレイパネルを駆動して、前記第２フレームにおいて前記映像処理部から出力された前記第２映像データに基づいて前記ディスプレイパネルを駆動する駆動部を含むことを特徴とする請求項９に記載の電子機器。
【発明の詳細な説明】
【技術分野】
【０００１】
本発明は、電子機器に関し、より詳しくは、生体効果映像を提供する電子機器に関する。
【背景技術】
【０００２】
最近、皮膚管理、生体リズム制御、うつ病治療などのために人体に光を照射するバイオ装置が開発されている。現在のバイオ装置は抗炎治療、にきび治療、美白治療、生体リズム制御、うつ病治療などのそれぞれの用途によって専用の装置として製造されている。それによって、ユーザが用途によってそれぞれ異なる専用バイオ装置を備えなければならない不便な点がある。
【先行技術文献】
【特許文献】
【０００３】
【特許文献１】韓国特許２０１２−０１２４２５６号公報
【特許文献２】韓国特許２００９−０００２３０６号公報
【特許文献３】米国特許出願公開２０１３−０２１６２０４号明細書
【特許文献４】特許１９９６−０２４２４１１号公報
【発明の概要】
【発明が解決しようとする課題】
【０００４】
本発明の一目的は、生体効果映像を提供できる電子機器を提供することにある。
ただし、本発明の解決したい課題は、前記言及された課題に限定されず、本発明の思想および領域から逸脱しない範囲に多様に拡張される。
【課題を解決するための手段】
【０００５】
本発明の一目的を達成するために、本発明の実施例による電子機器は、前記電子機器の動作を制御するプロセッサ、前記プロセッサに連結されて、前記電子機器のメインメモリとして動作するメモリ装置、および前記プロセッサに連結されて、第１フレームにおいて原本映像に対する第１映像データに基づいて前記原本映像を表示して、第２フレームにおいて生体効果映像に対する第２映像データに基づいて前記生体効果映像を表示するディスプレイ装置を含む。
【０００６】
一実施例において、前記プロセッサは、前記ディスプレイ装置を制御するグラフィック処理部を含み、前記グラフィック処理部は、前記生体効果映像に対する前記第２映像データを保存するメモリ部、および前記第１フレームにおいて前記ディスプレイ装置に前記第１映像データを提供して、前記第２フレームにおいて前記ディスプレイ装置に前記第１映像データに代わって前記メモリ部に保存された前記第２映像データを提供する映像処理部を含んでもよい。
【０００７】
一実施例において、前記プロセッサは、前記ディスプレイ装置を制御するグラフィック処理部を含み、前記グラフィック処理部は、前記第１フレームにおいて前記ディスプレイ装置に前記第１映像データを提供して、前記第２フレームにおいて前記第１映像データを変調して前記第２映像データを生成して前記ディスプレイ装置に前記第２映像データを提供する映像処理部を含んでもよい。
【０００８】
一実施例において、前記電子機器は、前記プロセッサと前記ディスプレイ装置の間に連結されて、前記ディスプレイ装置を制御するグラフィックカードをさらに含み、前記グラフィックカードは、前記生体効果映像に対する前記第２映像データを保存するメモリ部、および前記第１フレームにおいて前記ディスプレイ装置に前記第１映像データを提供して、前記第２フレームにおいて前記ディスプレイ装置に前記第１映像データに代わって前記メモリ部に保存された前記第２映像データを提供する映像処理部を含んでもよい。
【０００９】
一実施例において、前記電子機器は、前記プロセッサと前記ディスプレイ装置の間に連結されて、前記ディスプレイ装置を制御するグラフィックカードをさらに含み、前記グラフィックカードは、前記第１フレームにおいて前記ディスプレイ装置に前記第１映像データを提供して、前記第２フレームにおいて前記第１映像データを変調して前記第２映像データを生成して前記ディスプレイ装置に前記第２映像データを提供する映像処理部を含んでもよい。
【００１０】
一実施例において、前記メモリ装置は、前記生体効果映像に対する前記第２映像データ、および映像処理コードを保存して、前記映像処理コードは、前記プロセッサによって実行されて、前記第１フレームにおいて前記ディスプレイ装置に前記第１映像データを提供して、前記第２フレームにおいて前記ディスプレイ装置に前記第１映像データに代わって前記メモリ装置に保存された前記第２映像データを提供してもよい。
【００１１】
一実施例において、前記メモリ装置は、映像処理コードを保存して、前記映像処理コードは、前記プロセッサによって実行されて、前記第１フレームにおいて前記ディスプレイ装置に前記第１映像データを提供して、前記第２フレームにおいて前記第１映像データを変調して前記第２映像データを生成して前記ディスプレイ装置に前記第２映像データを提供してもよい。
【００１２】
一実施例において、前記ディスプレイ装置は、ディスプレイパネル、および前記ディスプレイパネル上に形成されて、前記生体効果映像に対する前記第２映像データおよび映像処理コードを保存する内部メモリを含み、前記ディスプレイ装置の前記内部メモリに保存された前記映像処理コードは、前記プロセッサによって実行されて、前記第１フレームにおいて前記ディスプレイパネルに前記第１映像データを提供して、前記第２フレームにおいて前記ディスプレイパネルに前記第１映像データに代わって前記内部メモリに保存された前記第２映像データを提供してもよい。
【００１３】
一実施例において、前記ディスプレイ装置は、ディスプレイパネル、および前記原本映像に対する前記第１映像データ受信して、前記第１フレームにおいて前記原本映像が表示されるように前記第１映像データに基づいて前記ディスプレイパネルを駆動して、前記第２フレームにおいて前記生体効果映像が表示されるように前記第１映像データに代わって前記第２映像データに基づいて前記ディスプレイパネルを駆動するディスプレイドライバを含んでもよい。
【００１４】
一実施例において、前記ディスプレイドライバは、前記生体効果映像に対する前記第２映像データを保存するメモリ部、前記第１映像データを受信して、前記第１フレームにおいて前記第１映像データを出力して、前記第２フレームにおいて前記第１映像データに代わって前記メモリ部に保存された前記第２映像データを出力する映像処理部、および前記第１フレームにおいて前記映像処理部から出力された前記第１映像データに基づいて前記ディスプレイパネルを駆動して、前記第２フレームにおいて前記映像処理部から出力された前記第２映像データに基づいて前記ディスプレイパネルを駆動する駆動部を含んでもよい。
【００１５】
一実施例において、前記メモリ部は、前記生体効果映像に対する前記第２映像データとして行動誘導映像に対する映像データを保存して、前記映像処理部は、前記第２フレームにおいて、前記メモリ部に保存された前記の行動誘導映像に対する映像データを前記駆動部に提供して、前記駆動部は、前記第２フレームにおいて、前記生体効果映像として前記の行動誘導映像が表示されるように、前記の行動誘導映像に対する映像データに基づいて前記ディスプレイパネルを駆動してもよい。
【００１６】
一実施例において、前記の行動誘導映像は、ユーザの瞬きを誘導する瞬き誘導映像であってもよい。
【００１７】
一実施例において、前記の行動誘導映像は、ユーザによって認知可能な時間より短い時間の間、表示されてもよい。
【００１８】
一実施例において、前記メモリ部は、前記生体効果映像に対する前記第２映像データとして光治療映像に対する映像データを保存して、前記映像処理部は、前記第２フレームにおいて、前記メモリ部に保存された前記光治療映像に対する映像データを前記駆動部に提供して、前記駆動部は、前記第２フレームにおいて、前記生体効果映像として前記光治療映像が表示されるように、前記光治療映像に対する映像データに基づいて前記ディスプレイパネルを駆動してもよい。
【００１９】
一実施例において、前記ディスプレイドライバは、前記第１映像データを受信して、前記第１フレームにおいて前記第１映像データを出力して、前記第２フレームにおいて前記第１映像データを変調して前記第２映像データを生成して前記第２映像データを出力する映像処理部、および前記第１フレームにおいて前記映像処理部から出力された前記第１映像データに基づいて前記ディスプレイパネルを駆動して、前記第２フレームにおいて前記映像処理部から出力された前記第２映像データに基づいて前記ディスプレイパネルを駆動する駆動部を含んでもよい。
【００２０】
一実施例において、前記ディスプレイドライバは、行動誘導映像に対する映像データを保存するメモリ部をさらに含み、前記映像処理部は、前記第２フレームにおいて、前記第１映像データと前記の行動誘導映像に対する映像データを合成して前記第２映像データを生成して、前記駆動部は、前記第２フレームにおいて、前記生体効果映像として前記原本映像と前記の行動誘導映像が合成された映像が表示されるように、前記第１映像データと前記の行動誘導映像に対する映像データが合成された前記第２映像データに基づいて前記ディスプレイパネルを駆動してもよい。
【００２１】
一実施例において、前記原本映像と前記の行動誘導映像が合成された映像は、ユーザによって認知可能な時間より短い時間の間、表示されてもよい。
【００２２】
一実施例において、前記映像処理部は、前記第２フレームにおいて、前記第１映像データに含まれた各ピクセルに対する赤色サブピクセルデータ、緑色サブピクセルデータおよび青色サブピクセルデータのうち、少なくとも一つのサブピクセルデータを調節して前記第２映像データを生成して、前記駆動部は、前記第２フレームにおいて、前記生体効果映像として前記原本映像で赤色輝度、緑色輝度および青色輝度のうち、少なくとも一つが調節された映像が表示されるように、前記少なくとも一つのサブピクセルデータが調節された前記第２映像データに基づいて前記ディスプレイパネルを駆動してもよい。
【００２３】
一実施例において、前記映像処理部は、前記第２フレームにおいて、前記第１映像データで前記青色サブピクセルデータを減少させて前記第２映像データを生成して、前記駆動部は、前記第２フレームにおいて、前記生体効果映像として前記原本映像で前記青色輝度が減少されてメラトニン分泌の抑制を防止する生体リズム制御映像が表示されるように、前記青色サブピクセルデータが減少された前記第２映像データに基づいて前記ディスプレイパネルを駆動してもよい。
【００２４】
一実施例において、前記映像処理部は、前記第２フレームにおいて、前記第１映像データで前記青色サブピクセルデータを増加させて前記第２映像データを生成して、前記駆動部は、前記第２フレームにおいて、前記生体効果映像として前記原本映像で前記青色輝度が増加されて、メラトニン分泌を抑制する生体リズム制御映像が表示されるように、前記青色サブピクセルデータが増加された前記第２映像データに基づいて前記ディスプレイパネルを駆動してもよい。
【００２５】
一実施例において、前記映像処理部は、前記第２フレームにおいて、前記第１映像データで前記赤色サブピクセルデータを増加させて前記第２映像データを生成して、前記駆動部は、前記第２フレームにおいて、前記生体効果映像として前記原本映像で前記赤色輝度が増加されて赤色弱者の視認性を増加させる色弱補償映像が表示されるように、前記赤色サブピクセルデータが増加された前記第２映像データに基づいて前記ディスプレイパネルを駆動してもよい。
【００２６】
一実施例において、前記映像処理部は、前記第２フレームにおいて、前記第１映像データで前記緑色サブピクセルデータを増加させて前記第２映像データを生成して、前記駆動部は、前記第２フレームにおいて、前記生体効果映像として前記原本映像で前記緑色輝度が増加されて緑色弱者の視認性を増加させる色弱補償映像が表示されるように、前記緑色サブピクセルデータが増加された前記第２映像データに基づいて前記ディスプレイパネルを駆動してもよい。
【００２７】
一実施例において、前記映像処理部は、前記第２フレームにおいて、前記第１映像データで前記赤色サブピクセルデータ、前記緑色サブピクセルデータおよび前記青色サブピクセルデータのうちの一つを増加させて前記第２映像データを生成して、前記駆動部は、前記第２フレームにおいて、前記生体効果映像として前記原本映像で前記赤色輝度、前記緑色輝度および前記青色輝度ののうちの一つが増加された光治療映像が表示されるように、前記赤色サブピクセルデータ、前記緑色サブピクセルデータおよび前記青色サブピクセルデータの中の一つが増加した前記第２映像データに基づいて前記ディスプレイパネルを駆動してもよい。
【００２８】
一実施例において、前記映像処理部は、前記第２フレームに隣接した第３フレームにおいて、前記第１映像データで前記赤色サブピクセルデータ、前記緑色サブピクセルデータおよび前記青色サブピクセルデータの中の一つを減少させて前記第３映像データを生成して、前記駆動部は、前記第３フレームにおいて、前記原本映像で前記赤色輝度、前記緑色輝度および前記青色輝度の中の一つが減少された補償映像が表示されるように、前記赤色サブピクセルデータ、前記緑色サブピクセルデータおよび前記青色サブピクセルデータの中の一つが減少された前記第３映像データに基づいて前記ディスプレイパネルを駆動して、前記第２フレームにおいて表示される前記光治療映像および前記第３フレームにおいて表示される前記補償映像によって前記原本映像が認知されてもよい。
【００２９】
一実施例において、前記電子機器は、外部から入射される光を感知するセンサをさらに含んでもよい。
【００３０】
一実施例において、前記センサは、前記外部から入射される光の色度を測定して、前記ディスプレイ装置は、前記測定された光の色度が黄色を示す場合、前記生体効果映像としてメラトニン分泌の抑制を防止する生体リズム制御映像を表示してもよい。
【００３１】
一実施例において、前記センサは、ユーザの瞬きを感知して、前記ディスプレイ装置は、前記ユーザの瞬きが所定の時間の間に発生しないとき、前記生体効果映像として瞬き誘導映像を表示してもよい。
【００３２】
一実施例において、前記センサは、前記外部から入射される光として赤外線を感知して、前記電子機器は、前記赤外線に応答して生体効果モードを開始または終了してもよい。
【００３３】
一実施例において、前記センサは、前記ディスプレイ装置に含まれたディスプレイパネルのアクティブ領域、前記ディスプレイパネルの周辺領域、前記ディスプレイパネルに連結された印刷回路基板または前記ディスプレイ装置の外部に形成されてもよい。
【００３４】
本発明の一目的を達成するために、本発明の実施例による電子機器は、第１フレームにおいて原本映像と所定の映像が合成された生体効果映像を表示して、第２フレームにおいて前記原本映像と前記所定の映像に対し相補的な相補映像が合成された補償映像を表示するディスプレイ装置、および前記第１フレームにおいてオープンされて、前記第２フレームにおいてクローズされるシャッターグラスを含む。
【００３５】
一実施例において、前記シャッターグラスを着用した第１ユーザには、前記第１フレームにおいて前記生体効果映像が提供されて、前記第２フレームにおいて映像が提供されないことがある。
【００３６】
一実施例において、前記シャッターグラスを着用していない第２ユーザには、前記第１フレームにおいて前記生体効果映像が提供されて、前記第２フレームにおいて前記補償映像が提供されて、前記第２ユーザは前記第１フレームにおいて提供された前記生体効果映像および前記第２フレームにおいて提供された前記補償映像によって前記原本映像を認知してもよい。
【００３７】
一実施例において、前記所定の映像は、行動誘導映像、色弱補償映像、生体リズム制御映像または光治療映像であってもよい。
【００３８】
本発明の一目的を達成するために、本発明の実施例による電子機器は、第１フレームにおいて原本映像を表示して、第２フレームにおいて生体効果映像を表示するディスプレイ装置、前記第１フレームにおいてオープンされて、前記第２フレームにおいてクローズされる第１シャッターグラス、および前記第１フレームにおいてクローズされて、前記第２フレームにおいてオープンされる第２シャッターグラスを含んでもよい。
【発明の効果】
【００３９】
本発明の実施例による電子機器は、原本映像を表示して生体効果映像を提供してもよい。
【００４０】
また、本発明の実施例による電子機器は、生体効果映像提供機能を自主的に備えて電力消耗およびデータ処理量を減少させてもよい。
【００４１】
その上、本発明の実施例による電子機器は、ユーザの生体効果映像に対する認知せずに、ユーザに生体効果映像を提供してもよく、ユーザに不快感を誘発せずに生体効果映像を提供してもよい。
【００４２】
ただし、本発明の効果は、前記言及した効果に限定されるのではなく、本発明の思想および領域から逸脱しない範囲で多様に拡張される。
【図面の簡単な説明】
【００４３】
【図１】本発明の実施例による生体効果映像提供機能を有するディスプレイ装置を含むモバイル装置を示すブロック図である。
【図２】本発明の実施例による生体効果映像提供機能を有するディスプレイドライバの一例を示すブロック図である。
【図３】本発明の実施例による生体効果映像を提供するディスプレイ装置の駆動方法を示す手順図である。
【図４】本発明の実施例による生体効果映像を提供するディスプレイ装置の駆動方法を示す手順図である。
【図５】図４の駆動方法によって表示される映像フレームの一例を示す図面である。
【図６】本発明の実施例による行動誘導映像を提供するディスプレイ装置の駆動方法を示す手順図である。
【図７】図６の駆動方法によって表示される映像フレームの一例を示す図面である。
【図８】本発明の実施例による光治療映像を提供するディスプレイ装置の駆動方法を示す手順図である。
【図９】図８の駆動方法によって表示される映像フレームの一例を示す図面である。
【図１０】図８の駆動方法によって提供される光治療映像の例を説明するための図面である。
【図１１】図８の駆動方法によって提供される光治療映像の例を説明するための図面である。
【図１２】図８の駆動方法によって提供される光治療映像の例を説明するための図面である。
【図１３】本発明の実施例による生体効果映像を提供するディスプレイ装置の駆動方法を示す手順図である。
【図１４】図１３の駆動方法によって表示される映像フレームの一例を示す図面である。
【図１５】本発明の実施例による生体効果映像を提供するディスプレイ装置の駆動方法の一例を示す手順図である。
【図１６】本発明の実施例による行動誘導映像を提供するディスプレイ装置の駆動方法を示す手順図である。
【図１７】図１６の駆動方法によって表示される映像フレームの一例を示す図面である。
【図１８】図１６の駆動方法において実行される変調動作の例を説明するための図面である。
【図１９】図１６の駆動方法において実行される変調動作の例を説明するための図面である。
【図２０】図１６の駆動方法において実行される変調動作の例を説明するための図面である。
【図２１】本発明の実施例による生体リズム制御映像を提供するディスプレイ装置の駆動方法を示す手順図である。
【図２２】図２１の駆動方法において実行される変調動作の例を説明するための図面である。
【図２３】図２１の駆動方法において実行される変調動作の例を説明するための図面である。
【図２４】本発明の実施例による色弱補償映像を提供するディスプレイ装置の駆動方法を示す手順図である。
【図２５】図２４の駆動方法によって表示される映像フレームの一例を示す図面である。
【図２６】本発明の実施例による光治療映像を提供するディスプレイ装置の駆動方法を示す手順図である。
【図２７】図２６の駆動方法において実行される変調動作の例を説明するための図面である。
【図２８】図２６の駆動方法において実行される変調動作の例を説明するための図面である。
【図２９】図２６の駆動方法において実行される変調動作の例を説明するための図面である。
【図３０】本発明の実施例による生体効果映像提供機能を有する映像処理部を含むモバイル装置を示すブロック図である。
【図３１】本発明の実施例による生体効果映像提供機能を有するグラフィック処理部を含むモバイル装置を示すブロック図である。
【図３２】本発明の実施例による映像処理コードを実行して生体効果映像提供機能を行うアプリケーションプロセッサを含むモバイル装置を示すブロック図である。
【図３３】本発明の実施例による生体効果映像提供機能を有するディスプレイドライバを含むコンピューティング装置を示すブロック図である。
【図３４】本発明の実施例による生体効果映像提供機能を有するグラフィックカードを含むコンピューティング装置を示すブロック図である。
【図３５】本発明の実施例による映像処理コードを実行して生体効果映像提供機能を行う中央処理部を含むコンピューティング装置を示すブロック図である。
【図３６】本発明の実施例によるセンサを含む電子機器を示すブロック図である。
【図３７】センサの位置の例を説明するための図面である。
【図３８】センサの位置の例を説明するための図面である。
【図３９】センサの位置の例を説明するための図面である。
【図４０】本発明の実施例によるセンサを含む電子機器を示すブロック図である。
【図４１】本発明の実施例によるセンサを用いて生体リズム制御映像を提供するディスプレイ装置の駆動方法を説明するための図面である。
【図４２】本発明の実施例によるセンサを用いて瞬き誘導映像を提供するディスプレイ装置の駆動方法を説明するための図面である。
【図４３】本発明の実施例によるセンサを用いて生体効果モードを制御するディスプレイ装置の駆動方法を説明するための図面である。
【図４４】本発明の実施例によるシャッターグラスを用いてユーザに生体効果映像または原本映像を選択的に提供する電子機器を示す図面である。
【図４５】本発明の実施例によるシャッターグラスを用いてユーザに生体効果映像または原本映像を選択的に提供するディスプレイ装置の駆動方法を説明するための図面である。
【図４６】図４５の駆動方法によって表示される映像フレームの一例を示す図面である。
【図４７】図４５の駆動方法によって第１ユーザに表示される映像フレームの一例を示す図面である。
【図４８】図４５の駆動方法によって第２ユーザに表示される映像フレームの一例を示す図面である。
【図４９】図４５の駆動方法によって表示される生体効果映像および補償映像の一例を説明するための図面である。
【図５０】本発明の実施例によるシャッターグラスを用いてユーザに生体効果映像または原本映像を選択的に提供する電子機器を示す図面である。
【図５１】本発明の実施例によるシャッターグラスを用いてユーザに生体効果映像または原本映像を選択的に提供するディスプレイ装置の駆動方法を説明するための図面である。
【図５２】図５１の駆動方法によって第１および第２ユーザに提供される映像フレームの一例を示す図面である。
【発明を実施するための形態】
【００４４】
以下、添付した図面を参照して、本発明の望ましい実施例をより詳細に説明したい。図面上の同じ構成要素に対しては同じ参照符号を用いて同じ構成要素に対して重複した説明は省略する。
【００４５】
図１は、本発明の実施例による変調動作を行うディスプレイドライバを含むモバイル装置を示すブロック図である。
【００４６】
図１を参照すると、モバイル装置１００は、アプリケーションプロセッサ１１０、メモリ装置１３０、通信プロセッサ１５０およびディスプレイ装置２００を含む。実施例によって、モバイル装置１００は、携帯電話（Ｃｅｌｌｕｌａｒ  Ｐｈｏｎｅ）、スマートフォン（Ｓｍａｒｔ  Ｐｈｏｎｅ）、タブレットコンピュータ（Ｔａｂｌｅｔ  Ｃｏｍｐｕｔｅｒ）、個人情報端末（Ｐｅｒｓｏｎａｌ  Ｄｉｇｉｔａｌ  Ａｓｓｉｓｔａｎｔ；ＰＤＡ）、携帯型マルチメディアプレーヤー（Ｐｏｒｔａｂｌｅ  Ｍｕｌｔｉｍｅｄｉａ  Ｐｌａｙｅｒ；ＰＭＰ）、デジタルカメラ（Ｄｉｇｉｔａｌ  Ｃａｍｅｒａ）、音楽再生機（Ｍｕｓｉｃ  Ｐｌａｙｅｒ）、携帯用ゲームコンソール（Ｐｏｒｔａｂｌｅ  Ｇａｍｅ  Ｃｏｎｓｏｌｅ）、ナビゲーション（Ｎａｖｉｇａｔｉｏｎ）システムなどと同様の任意のモバイルシステムであってもよい。
【００４７】
アプリケーションプロセッサ１１０は、モバイル装置１００の動作を制御する。例えば、アプリケーションプロセッサ１１０は、モバイル装置１００を駆動するための運営体制（Ｏｐｅｒａｔｉｎｇ  Ｓｙｓｔｅｍ；ＯＳ）および多様なアプリケーションを実行することによってモバイル装置１００の動作を制御してもよい。例えば、アプリケーションプロセッサ１１０は、インターネットブラウザ、ゲーム、動画などを提供するアプリケーションを実行してもよい。また、アプリケーションプロセッサ１１０は、ディスプレイ装置２００を制御するグラフィック処理部（Ｇｒａｐｈｉｃ  Ｐｒｏｃｅｓｓｉｎｇ  Ｕｎｉｔ；ＧＰＵ）１１５を含んでもよい。グラフィック処理部１１５は、原本映像に対する第１映像データ（ＲＧＢ）、およびディスプレイ装置２００を制御するための制御信号（例えば、垂直動機信号（ＶＳＹＮＣ）、水平動機信号（ＨＳＹＮＣ）、データイネーブル信号（ＤＥ）、クロック信号（ＣＬＫ）等）をディスプレイ装置２００に提供してもよい。
【００４８】
通信プロセッサ１５０は、外部装置と有無線の通信を行ってもよい。例えば、通信プロセッサ１５０は、移動通信（Ｍｏｂｉｌｅ  Ｔｅｌｅｃｏｍｍｕｎｉｃａｔｉｏｎ）、Ｗｉ−Ｆｉ（Ｗｉｒｅｌｅｓｓ  Ｆｉｄｅｌｉｔｙ）、ＧＰＳ（Ｇｌｏｂａｌ  ｐｏｓｉｔｉｏｎｉｎｇ  Ｓｙｓｔｅｍ）、ＢＴ（Ｂｌｕｅｔｏｏｔｈ）(登録商標)、ＧＳＭ（Ｇｌｏｂａｌ  Ｓｙｓｔｅｍ  Ｆｏｒ  Ｍｏｂｉｌｅ  Ｃｏｍｍｕｎｉｃａｔｉｏｎ）(登録商標)、ＧＰＲＳ（Ｇｅｎｅｒａｌ  Ｐａｃｋｅｔ  Ｒａｄｉｏ  Ｓｙｓｔｅｍ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）(登録商標)、ＨＳｘＰＡ（Ｈｉｇｈ  Ｓｐｅｅｄ  Ｕｐｌｉｎｋ／Ｄｏｗｎｌｉｎｋ  Ｐａｃｋｅｔ  Ａｃｃｅｓｓ）、ＵＳＢ（Ｕｎｉｖｅｒｓａｌ  Ｓｅｒｉａｌ  Ｂｕｓ；）、イーサネット（Ｅｔｈｅｒｎｅｔ）(登録商標)、ＮＦＣ（Ｎｅａｒ  Ｆｉｅｌｄ  Ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｃａｔｉｏｎ）等の任意の有無線通信を行ってもよい。実施例によって、アプリケーションプロセッサ１１０および通信プロセッサ１５０は、一つのチップで具現されたり、それぞれ別個のチップで具現されてもよい。
【００４９】
メモリ装置１３０は、アプリケーションプロセッサ１１０に連結されて、モバイル装置１００のメインメモリ（Ｍａｉｎ  ｍｅｍｏｒｙ）として動作してもよい。例えば、メモリ装置１３０は、アプリケーションプロセッサ１１０によって処理されるデータを保存したり、通信プロセッサ１５０によって送受信されるデータを保存したり、動作メモリ（Ｗｏｒｋｉｎｇ  ｍｅｍｏｒｙ）として作動してもよい。例えば、メモリ装置１３０は、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、モバイルＤＲＡＭ等のような揮発性メモリ、および/またはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、フラッシュメモリ（Ｆｌａｓｈ  ｍｅｍｏｒｙ）、ＰＲＡＭ（Ｐｈａｓｅ  Ｃｈａｎｇｅ  Ｒａｎｄｏｍ  Ａｃｃｅｓｓ  Ｍｅｍｏｒｙ）、ＲＲＡＭ（Ｒｅｓｉｓｔａｎｃｅ  Ｒａｎｄｏｍ  Ａｃｃｅｓｓ  Ｍｅｍｏｒｙ）(登録商標)、ＮＦＧＭ（Ｎａｎｏ  Ｆｌｏａｔｉｎｇ  Ｇａｔｅ  ｍｅｍｏｒｙ）、ＰｏＲＡＭ（Ｐｏｌｙｍｅｒ  ｒａｎｄｏｍ  Ａｃｃｅｓｓ  ｍｅｍｏｒｙ）、ＭＲＡＭ（Ｍａｇｎｅｔｉｃ  ｒａｎｄｏｍ  Ａｃｃｅｓｓ  Ｍｅｍｏｒｙ）、ＦＲＡＭ（Ｆｅｒｒｏｅｌｅｃｔｒｉｃ  Ｒａｎｄｏｍ  Ａｃｃｅｓｓ  Ｍｅｍｏｒｙ）（登録商標）等のような非揮発性メモリを含んでもよい。
【００５０】
ディスプレイ装置２００は、アプリケーションプロセッサ１１０に連結されて、アプリケーションプロセッサ１１０に含まれたグラフィック処理部１１５によって提供される映像データ（ＲＧＢ）に基づいて映像を表示してもよい。ディスプレイ装置２００は、映像を表示するディスプレイパネル２３０、およびディスプレイパネル２３０を駆動するディスプレイドライバ２５０を含む。実施例によって、ディスプレイパネル２３０は、有機発光表示パネル（Ｏｒｇａｎｉｃ  Ｌｉｇｈｔ  Ｅｍｉｔｔｉｎｇ  Ｄｉｓｐｌａｙ（ＯＬＥＤ）Ｐａｎｅｌ）、液晶表示パネル（Ｌｉｑｕｉｄ  Ｃｒｙｓｔａｌ  Ｄｉｓｐｌａy  （ＬＣＤ）Ｐａｎｅｌ）、プラズマデスプレイパネル（Ｐｌａｓｍａ  Ｄｉｓｐｌａｙ  Ｐａｎｅｌ（ＰＤＰ））等の任意のディスプレイパネルであってもよい。
【００５１】
ディスプレイドライバ２５０は、グラフィック処理部１１５から原本映像に対する第１映像データ（ＲＧＢ）を受信して、第１映像データ（ＲＧＢ）に相応する前記原本映像が表示されるように第１映像データ（ＲＧＢ）に基づいてディスプレイパネル２３０を駆動してもよい。原本映像は、グラフィック処理部１１５からディスプレイドライバ２５０に入力される、Ｒ、Ｇ、Ｂデータから構成される映像データ（ＲＧＢ）である。より具体的には、原本映像は、グラフィック処理部１１５から入力される映像データ（ＲＧＢ）そのものであり、加工が施されていない本来の映像データ（ＲＧＢ）である。  
【００５２】
一実施例において、ディスプレイドライバ２５０は、ワンチップ（ｏｎｅ  ｃｈｉｐ）で具現されてもよい。また、ディスプレイドライバ２５０は、所定のフレームにおいて、生体効果映像が表示されるように第１映像データ（ＲＧＢ）に代って前記生体効果映像に対する第２映像データ（ＢＩＯ_ＲＧＢ）に基づいてディスプレイパネル２３０を駆動してもよい。生体効果映像は、人体等に何らかの影響・効果を与え得る映像である。例えば、生体効果映像は、脳機能、心臓機能など人体のあらゆる部位に対して、分泌物質の増加・減少、脈拍の増加・低下、リラックス効果など何らかの生体変化を与える映像であり得る。
【００５３】
実施例において、前記生体効果映像は、前記原本映像のフレームの間に挿入された映像でありえる。例えば、原本映像のフレームと生体効果映像のフレームとが交互に表示され得る。前記生体効果映像は、前記原本映像を変調（例えば、前記原本映像と所定の映像を合成または前記原本映像のＲ輝度、Ｇ輝度およびＢ輝度のうち、少なくとも一つを調節）して生成された映像であってもよい。
【００５４】
また、生体効果映像を表示する生体効果モードは、例えば図示しない入力部からユーザが生体効果モードを選択することにより実行され得る。あるいは、例えば図示しない検知手段により、生体の脳波、心拍数、血圧などの生体の状態や、生体が存在する部屋の温度、湿度などの状態などを検知することにより、生体効果モードが選択されてもよい。また、より詳細には、例えば図示しない入力部から、ユーザが所望する行動誘導映像、生体リズム制御映像、色弱補償映像、光治療映像（抗炎治療、にきび治療、シワ治療、美白治療、うつ病治療映像または滅菌治療等）のいずれかの選択を受け付けることにより生体効果モードが実行され得る。
【００５５】
一実施例において、前記生体効果映像は、ユーザに所定の行動を誘導するための行動誘導映像であってもよい。例えば、前記生体効果映像は、ユーザに瞬きを誘導する瞬き誘導映像であってもよい。
【００５６】
他の実施例において、前記生体効果映像は、生体リズム制御映像であってもよい。例えば、前記生体効果映像は、ユーザのメラトニン分泌を増加または減少させるように特定サブピクセルデータ（例えば、Ｂサブピクセルデータ）を調節するための生体リズム制御映像であってもよい。
【００５７】
また他の実施例において、前記生体効果映像は、色弱補償映像であってもよい。例えば、前記生体効果映像は、色弱者の視認性を増大させるように特定色の輝度（例えば、Ｒ輝度またはＧ輝度）が増加された色弱補償映像であってもよい。
また他の実施例において、前記生体効果映像は、光治療映像であってもよい。例えば、前記生体効果映像は、ユーザに抗炎治療、にきび治療、シワ治療、美白治療、うつ病治療映像または滅菌治療を提供する光治療映像であってもよい。
【００５８】
このように、本発明の実施例によるディスプレイドライバ２５０は、前記生体効果映像を提供する生体効果映像提供機能を有してもよい。ディスプレイドライバ２５０は、前記生体効果映像提供機能を具現するように映像処理部２６０を含んでもよい。
【００５９】
映像処理部２６０は、グラフィック処理部１１５から原本映像に対する第１映像データ（ＲＧＢ）を受信して、第１フレームにおいて第１映像データ（ＲＧＢ）をそのまま出力して、第２フレームにおいて第１映像データ（ＲＧＢ）に代って前記生体効果映像に対する第２映像データ（ＢＩＯ_ＲＧＢ）を出力してもよい。
【００６０】
一実施例において、ディスプレイドライバ２５０は、前記生体効果映像に対する第２映像データ（ＢＩＯ_ＲＧＢ）を保存するメモリ部をさらに含み、映像処理部２６０は、前記第２フレームにおいて第１映像データ（ＲＧＢ）に代って前記メモリ部に保存された第２映像データ（ＢＩＯ_ＲＧＢ）を出力してもよい。
ディスプレイドライバ２５０は、駆動部をさらに含んでもよい。駆動部は、前記第１フレームにおいて映像処理部２６０から出力された第１映像データ（ＲＧＢ）に基づいてディスプレイパネル２３０を駆動して、前記第２フレームにおいて映像処理部２６０から出力された第２映像データ（ＢＩＯ_ＲＧＢ）に基づいてディスプレイパネル２３０を駆動する。
【００６１】
また、ディスプレイドライバ２５０に含まれた前記メモリ部に保存された第２映像データ（ＢＩＯ_ＲＧＢ）は、実施例において、各ピクセルに対し「０」または「１」の値を有する２進（ｂｉｎａｒｙ）映像データや、各ピクセルに対して２以上のビットの値を有する映像データであってもよい。
【００６２】
また、メモリ部２７０に第２映像データ（ＢＩＯ_ＲＧＢ）として前記２進映像データが保存される場合、前記メモリ部が小さい保存容量を有してもよく、ディスプレイドライバ２５０が小さいサイズを有してもよい。
【００６３】
また、実施例において、前記メモリ部に保存された第２映像データ（ＢＩＯ_ＲＧＢ）はあるフレームの全体サイズに相応したり、あるフレームの一部領域に相応してもよい。第２映像データ（ＢＩＯ_ＲＧＢ）があるフレームの一部領域に相応するデータである場合、前記メモリ部が小さい保存容量を有してもよく、ディスプレイドライバ２５０が小さいサイズを有してもよい。
【００６４】
他の実施例において、映像処理部２６０は、前記第２フレームにおいて第１映像データ（ＲＧＢ）を変調して第２映像データ（ＢＩＯ_ＲＧＢ）を生成して、前記駆動部に第２映像データ（ＢＩＯ_ＲＧＢ）を出力してもよい。一実施例において、映像処理部２６０は、前記原本映像と所定の映像（例えば、行動誘導映像、生体リズム制御映像、色弱補償映像または光治療映像）が重複（ｏｖｅｒｌａｙ）または合成された前記生体効果映像が生成されるように、第１映像データ（ＲＧＢ）と前記所定の映像に対する映像データを合成して第２映像データ（ＢＩＯ_ＲＧＢ）を生成してもよい。例えば、各ピクセルに対し第１映像データ（ＲＧＢ）に前記所定の映像に対する映像データを一定の割合で加算したり、第１映像データ（ＢＩＯ_ＲＧＢ）に前記所定の映像に対する映像データを一定の割合で乗算することで、前記原本映像と前記所定の映像とが重畳された前記生体効果映像が生成されてもよい。他の実施例において、映像処理部２６０は、第１映像データ（ＲＧＢ）に含まれた各ピクセルに対するＲサブピクセルデータ、ＧサブピクセルデータおよびＢサブピクセルデータのうち、少なくとも一つを増加または減少させることによって第２映像データ（ＢＩＯ_ＲＧＢ）を生成してもよい。例えば、Ｒサブピクセルデータ、ＧサブピクセルデータおよびＢサブピクセルデータのうち、少なくとも一つのデータのビット値を増加又は減少させて第２映像データ（ＢＩＯ_ＲＧＢ）が生成されてもよい。一方、一実施例において、ディスプレイドライバ２５０に含まれた前記メモリ部には、映像処理部２６０において実行される変調動作に対する情報、例えば、フレーム内での変調するデータの位置、変調するデータの大きさ、ＲＧＢサブピクセルデータのうち変調するサブピクセルデータの表示または変調動作の係数（ｃｏｅｆｆｉｃｉｅｎｔ）等を保存できて、映像処理部２６０は、前記メモリ部に保存された前記変調動作に対する情報に基づいて第１映像データ（ＲＧＢ）に対する変調動作を行ってもよい。
【００６５】
このように、映像処理部２６０は、所定の個数のフレームごとに少なくとも一つの前記第２フレームにおいて受信された第１映像データ（ＲＧＢ）に代って前記生体効果映像に対する第２映像データ（ＢＩＯ_ＲＧＢ）を出力できて、ディスプレイドライバ２５０は、前記第２フレームにおいて、前記生体効果映像が表示されるように第２映像データ（ＢＩＯ_ＲＧＢ）に基づいてディスプレイパネル２３０を駆動してもよい。それによって、ユーザに行動誘導映像、光治療映像、色弱補償映像、生体リズム制御映像等のような前記生体効果映像を提供してもよい。
【００６６】
一方、一実施例において、ディスプレイ装置２００は、前記生体効果映像を周期的に表示してもよい。すなわち、映像処理部２６０は、所定の周期に相応する所定の個数のフレームごとに少なくとも一つの前記第２フレームにおいて前記生体効果映像に対する第２映像データ（ＢＩＯ_ＲＧＢ）を出力してもよい。例えば、映像処理部２６０は、１秒に１個のフレームにおいて前記生体効果映像に対する第２映像データ（ＢＩＯ_ＲＧＢ）を出力できて、すなわち１２０Hzで駆動するディスプレイ装置２００の例において１２０個のフレームごとに１個のフレームにおいて第２映像データ（ＢＩＯ_ＲＧＢ）を出力して前記生体効果映像が表示されるようにすることができる。他の実施例において、前記生体効果映像が表示されるフレームの間の時間間隔が可変されてもよい。また他の実施例において、前記生体効果映像がフレームごとに表示されてもよい。例えば、原本映像と生体効果映像とが１フレームごとに交互に表示されてもよい。
【００６７】
また、一実施例において、ディスプレイドライバ２５０は、ユーザによって認知可能な時間より短い時間の間、前記生体効果映像を表示するようにディスプレイパネル２３０を駆動（すなわち、識閾下（ｓｕｂｌｉｍｉｎａｌ）駆動）してもよい。例えば、ディスプレイドライバ２６０は、所定の時間以上の周期で所定の個数以下の連続されたフレーム（例えば、１２０Ｈｚ駆動の場合、４個以下のフレーム）で前記生体効果映像を表示するようにディスプレイパネル２３０を駆動することによって、ユーザが前記生体効果映像を意識的に認知できないようにすることができる。それによって、本発明の実施例によるディスプレイドライバ２５０を含むディスプレイ装置２００およびモバイル装置１００は、ユーザに不快感を誘発せずに前記生体効果映像を提供してもよい。
【００６８】
一方、一実施例において、ディスプレイドライバ２５０は、奇数番目フレームにおいて前記原本映像と所定の映像（例えば、行動誘導映像、生体リズム制御映像、色弱補償映像または光治療映像）が合成された前記生体効果映像を表示するようにディスプレイパネル２３０を駆動して、偶数番目フレームにおいて前記原本映像と相補映像（前記所定の映像に対する相補映像）が合成された補償映像を表示するようにディスプレイパネル２３０を駆動してもよい。ここで、前記所定の映像は、原本映像を変形・変調することにより、例えば原本映像のビットデータを変調することにより形成される。また、相補映像は、例えば、原本映像を前記所定の映像とは反対の変形・変調することにより形成される。よって、前記所定の映像と前記相補映像とは相補関係にある。
【００６９】
例えば、ディスプレイドライバ２５０は、前記奇数番目フレームにおいて前記原本映像に対する第１映像データ（ＲＧＢ）でＲサブピクセルデータを増加させる変調動作を行って前記生体効果映像を生成して、前記偶数番目フレームにおいて前記原本映像に対する第１映像データ（ＲＧＢ）でＲサブピクセルデータを減少させる変調動作を行って前記補償映像を生成してもよい。それによって、ユーザに前記奇数番目フレームにおいて前記生体効果映像が提供されて、前記偶数番目フレームにおいて前記補償映像が提供されることによって、ユーザは、交互に提供される前記生体効果映像と前記補償映像によって前記原本映像を認知して前記生体効果映像による効果（例えば、行動誘導、光治療、生体リズム制御など）を提供されてもよい。それによって、本発明の実施例によるディスプレイドライバ２５０を含むディスプレイ装置２００およびモバイル装置１００はユーザに対する不快感を誘発せずに生体効果映像を提供してもよい。
【００７０】
上述したように、本発明の実施例によるディスプレイドライバ２５０は、所定の個数のフレームごとに少なくとも一つのフレームにおいて第１映像データ（ＲＧＢ）に代って生体効果映像に対する第２映像データ（ＢＩＯ_ＲＧＢ）に基づいてディスプレイパネル２３０を駆動してもよい。それによって、本発明の実施例によるディスプレイ装置２００およびモバイル装置１００は、生体効果提供機能を有するディスプレイドライバ２５０を用いて生体効果映像を提供してもよい。また、一実施例において、ディスプレイドライバ２５０を含むディスプレイ装置２００およびモバイル装置１００は、ユーザによって意識的に認知されないように短い時間の間、前記生体効果映像を表示することによって、ユーザに対する不快感を誘発せずに前記生体効果映像を提供してもよい。また、ディスプレイドライバ２５０は、外部装置によるデータ処理をせずに生体効果映像提供機能を自主的に備えることによって、生体効果映像提供のためのモバイル装置１００の電力消耗およびデータ処理量が減少されてもよい。その上、本発明の実施例によるディスプレイドライバ２５０、ディスプレイ装置２００およびモバイル装置１００はユーザが原本映像を視聴する途中で生体効果映像を提供することによって、ユーザが光治療、生体リズム制御、行動誘導などの目的だけのために別に時間を割愛しなくても前記生体効果映像による効果を提供してもよい。
【００７１】
一方、実施例によって、モバイル装置１００は、キーパッド、タッチスクリーンのような一つ以上の入力装置、および/またはスピーカーのような一つ以上の出力装置をさらに含んでもよい。また、実施例によって、モバイル装置１００は、モバイル装置１００の動作電源を提供するパワーサプライ、カメライメージプロセッサ（Ｃａｍｅｒａ  Ｉｍａｇｅ  Ｐｒｏｃｅｓｓｏｒ；ＣＩＳ）等をさらに含んでもよい。
【００７２】
実施例によって、モバイル装置１００またはモバイル装置１００の構成要素は多様な形態のパッケージを用いて実装されるが、例えば、ＰｏＰ（Ｐａｃｋａｇｅ  ｏｎ  Ｐａｃｋａｇｅ）、ＢＧＡｓ（Ｂａｌｌ  ｇｒｉｄ  ａｒｒａｙｓ）、ＣＳＰｓ（Ｃｈｉｐ  ｓｃａｌｅ  ｐａｃｋａｇｅｓ）、ＰＬＣＣ（Ｐｌａｓｔｉｃ  Ｌｅａｄｅｄ  Ｃｈｉｐ  Ｃａｒｒｉｅｒ）、ＰＤＩＰ（Ｐｌａｓｔｉｃ  Ｄｕａｌ  Ｉｎ−Ｌｉｎｅ  Ｐａｃｋａｇｅ）、Ｄｉｅ  ｉｎ  Ｗａｆｆｌｅ  Ｐａｃｋ、Ｄｉｅ  ｉｎ  Ｗａｆｅｒ  Ｆｏｒｍ、ＣＯＢ（Ｃｈｉｐ  Ｏｎ  Ｂｏａｒｄ）、ＣＥＲＤＩＰ（Ｃｅｒａｍｉｃ  Ｄｕａｌ  Ｉｎ−Ｌｉｎｅ  Ｐａｃｋａｇｅ）、ＭＱＦＰ（Ｐｌａｓｔｉｃ  Ｍｅｔｒｉｃ  Ｑｕａｄ  Ｆｌａｔ  Ｐａｃｋ）、ＴＱＦＰ（Ｔｈｉｎ  Ｑｕａｄ  Ｆｌａｔ−Ｐａｃｋ）、ＳＯＩＣ（Ｓｍａｌｌ  ｏｕｔｌｉｎｅ  Ｉｎｔｅｇｒａｔｅｄ  Ｃｉｒｃｕｉｔ）、ＳＳＯＰ（Ｓｈｒｉｎｋ  Ｓｍａｌｌ  ｏｕｔｌｉｎｅ  Ｐａｃｋａｇｅ）、ＴＳＯＰ（Ｔｈｉｎ  Ｓｍａｌｌ  ｏｕｔｌｉｎｅ  Ｐａｃｋａｇｅ）、ＴＱＦＰ（Ｔｈｉｎ  Ｑｕａｄ  Ｆｌａｔ−Ｐａｃｋ）、ＳＩＰ（Ｓｙｓｔｅｍ  Ｉｎ  Ｐａｃｋａｇｅ）、ＭＣＰ（Ｍｕｌｔｉ  Ｃｈｉｐ  Ｐａｃｋａｇｅ）、ＷＦＰ（Ｗａｆｅｒ−Ｌｅｖｅｌ  Ｆａｂｒｉｃａｔｅｄ  Ｐａｃｋａｇｅ）、ＷＳＰ（Ｗａｆｅｒ−Ｌｅｖｅｌ  Ｐｒｏｃｅｓｓｅｄ  Ｓｔａｃｋ  Ｐａｃｋａｇｅ）等のようなパッケージを用いて実装されてもよい。
【００７３】
図２は、本発明の実施例によるディスプレイドライバの一例を示すブロック図である。
【００７４】
図２を参照すると、ディスプレイドライバ２５０は、映像向上部２５５、映像処理部２６０、メモリインターフェース２６５、メモリ部２７０および駆動部２８０を含んでもよい。一実施例において、ディスプレイドライバ２５０は、ワンチップ（ｏｎｅ  ｃｈｉｐ）で具現されてもよい。ディスプレイドライバ２５０は、ディスプレイドライバ２５０の動作タイミングを制御するタイミングコントローラをさらに含んでもよい。
【００７５】
映像向上部２５５は、グラフィック処理部（ＧＰＵ）１１５から原本映像に対する第１映像データ（ＲＧＢ）および所定の制御信号（ＣＴＲＬ）を受信してもよい。例えば、制御信号（ＣＴＲＬ）は、垂直動機信号（ＶＳＹＮＣ）、水平動機信号（ＨＳＹＮＣ）、データイネーブル信号（ＤＥ）、クロック信号（ＣＬＫ）等を含んでもよい。映像向上部２５５は、第１映像データ（ＲＧＢ）に対する所定の映像の向上処理を行ってもよい。例えば、映像向上部２５５は、輝度補償、自動バックライト制御（Ａｕｔｏｍａｔｉｃ  Ｂａｃｋｌｉｇｈｔ  Ｃｏｎｔｒｏｌ；ＡＢＣ）、ガンマ補正、画質改善などの処理を行ってもよい。実施例によって、ディスプレイドライバ２５０は、映像向上部２５５なしに具現されてもよい。
【００７６】
メモリ部２７０は、生体効果映像に対する情報を保存してもよい。一実施例において、前記生体効果映像に対する情報は、ディスプレイドライバ２５０の製造時、メモリ部２７０に保存されてもよい。他の実施例において、生体効果映像に対する情報は、外部装置（例えば、グラフィック処理部（ＧＰＵ））１１５からメモリインターフェース２６５を通じてメモリ部２７０に保存またはアップデートされてもよい。例えば、ディスプレイドライバ２５０を含むディスプレイ装置がスリープモードで駆動される間、生体効果映像に対する情報がメモリインターフェース２６５を通じてメモリ部２７０に保存またはアップデートされてもよい。一実施例において、前記生体効果映像に対する情報は、前記生体効果映像に対する第２映像データ（ＢＩＯ_ＲＧＢ）を含んでもよい。実施例によって、第２映像データ（ＢＩＯ_ＲＧＢ）に相応する前記生体効果映像は、行動誘導映像、光治療映像、色弱補償映像または生体リズム制御映像であってもよい。一方、実施例によって、メモリ部２７０に保存された第２映像データ（ＢＩＯ_ＲＧＢ）は２進映像データや、２以上のビットの値を有する映像データであってもよい。他の実施例において、前記生体効果映像に対する情報は、映像処理部２６０において実行される変調動作に対する情報、例えば、フレーム内での変調するデータの位置、変調するデータの大きさ、ＲＧＢサブピクセルデータのうち変調するサブピクセルデータの表示または変調動作の係数（ｃｏｅｆｆｉｃｉｅｎｔ）等を含んでもよい。
【００７７】
映像処理部２６０は、映像向上部２５５から前記映像向上処理が実行された第１映像データ（ＲＧＢ’）を受信してもよい。映像処理部２６０は、一般モードで前記映像向上処理が実行された第１映像データ（ＲＧＢ’）をそのまま駆動部２８０に提供してもよい。生体効果モードにおいて、映像処理部２６０は、第１フレームにおいて第１映像データ（ＲＧＢ’）をそのまま出力して、第２フレームにおいて第１映像データ（ＲＧＢ’）に代って前記生体効果映像に対する第２映像データ（ＢＩＯ_ＲＧＢ）を出力してもよい。生体効果モードとは、生体に効果を与え得るモードであり、生体効果映像が何らかのタイミングで出力されるモードである。
【００７８】
一実施例において、メモリ部２７０に前記生体効果映像に対する第２映像データ（ＢＩＯ_ＲＧＢ）が保存されてもよく、映像処理部２６０は、前記第２フレームにおいて第１映像データ（ＲＧＢ’）に代ってメモリ部２７０に保存された第２映像データ（ＢＩＯ_ＲＧＢ）を出力してもよい。他の実施例において、映像処理部２６０は、前記第２フレームにおいて第１映像データ（ＲＧＢ’）を変調して前記生体効果映像に対する第２映像データ（ＢＩＯ_ＲＧＢ）を生成して駆動部２８０に第２映像データ（ＢＩＯ_ＲＧＢ）を出力してもよい。一例において、映像処理部２６０は、第１映像データ（ＲＧＢ’）と所定の映像（例えば、行動誘導映像、生体リズム制御映像、色弱補償映像または光治療映像）に対する映像データを合成して第２映像データ（ＢＩＯ_ＲＧＢ）を生成してもよい。他の例において、映像処理部２６０は、第１映像データ（ＲＧＢ’）に含まれた各ピクセルに対するＲサブピクセルデータ、ＧサブピクセルデータおよびＢサブピクセルデータのうち、少なくとも一つを増加または減少させることによって第２映像データ（ＢＩＯ_ＲＧＢ）を生成してもよい。
【００７９】
駆動部２８０は、映像処理部２６０から提供された第１映像データ（ＲＧＢ’）または第２映像データ（ＢＩＯ_ＲＧＢ）に基づいてディスプレイパネルを駆動してもよい。例えば、駆動部２８０は、ディスプレイパネル２３０にデータ信号（ＳＤＡＴＡ）およびパネル信号（ＳＰＡＮＥＬ）（例えば、スキャン信号、発光制御信号など）を提供して第１映像データ（ＲＧＢ’）または第２映像データ（ＢＩＯ_ＲＧＢ）に相応する映像を表示するように前記ディスプレイパネル２３０を駆動してもよい。一方、駆動部２８０が映像処理部２６０から第２映像データ（ＢＩＯ_ＲＧＢ）を受信する場合、駆動部２８０は、第２映像データ（ＢＩＯ_ＲＧＢ）に基づいて前記生体効果映像を表示するように前記ディスプレイパネル２３０を駆動してもよい。それによって、前記生体効果映像が前記ディスプレイパネル２３０を介してユーザに提供されてもよい。実施例によって、駆動部２８０は、ゲートドライバ、ソースドライバなどを含んでもよい。
【００８０】
上述したように、本発明の実施例によるディスプレイドライバ２５０は、所定の個数のフレームごとに少なくとも一つのフレームにおいて第１映像データ（ＲＧＢ）に代って生体効果映像に対する第２映像データ（ＢＩＯ_ＲＧＢ）に基づいてディスプレイパネル２３０を駆動してもよい。それによって、ユーザに行動誘導映像、光治療映像、色弱補償映像、生体リズム制御映像等のような生体効果映像が提供されてもよい。また、ディスプレイドライバ２５０は、外部装置によるデータ処理せずに生体効果映像提供機能を自主的に備えることによって、生体効果映像提供のためのモバイル装置の電力消耗およびデータ処理量が減少されてもよい。
【００８１】
図３は、本発明の実施例による生体効果映像を提供するディスプレイ装置の駆動方法を示す手順図である。
【００８２】
図１乃至図３を参照すると、ディスプレイドライバ２５０は、あるフレームに相応する原本映像に対応する第１映像データ（ＲＧＢ）を受信してもよい（Ｓ１１０）。第１フレームにおいて（Ｓ１３０:ＦＩＲＳＴ  ＦＲＡＭＥ）、ディスプレイドライバ２５０に含まれた映像処理部２６０は、受信された第１映像データ（ＲＧＢ）をそのまま出力して、ディスプレイドライバ２５０に含まれた駆動部２８０は、第１映像データ（ＲＧＢ）に基づいてディスプレイパネル２３０を駆動して、ディスプレイパネル２３０は、第１映像データ（ＲＧＢ）に相応する原本映像を表示してもよい（Ｓ１５０）。
【００８３】
所定の個数の前記第１フレーム後、第２フレームにおいて（Ｓ１３０:ＳＥＣＯＮＤ  ＦＲＡＭＥ）、ディスプレイドライバ２５０に含まれた映像処理部２６０は、第１映像データ（ＲＧＢ）に代って生体効果映像に対する第２映像データ（ＢＩＯ_ＲＧＢ）を出力して、ディスプレイドライバ２５０に含まれた駆動部２８０は、第２映像データ（ＢＩＯ_ＲＧＢ）に基づいてディスプレイパネル２３０を駆動して、ディスプレイパネル２３０は、第２映像データ（ＢＩＯ_ＲＧＢ）に相応する前記生体効果映像を表示してもよい（Ｓ１７０）。実施例によって、前記生体効果映像は、行動誘導映像、生体リズム制御映像、色弱補償映像または光治療映像や、前記原本映像と行動誘導映像、生体リズム制御映像、色弱補償映像または光治療映像とが合成された映像であってもよい。一方、前記生体効果映像は、周期的に表示されてもよい。例えば、Ｎ個（Ｎは、１以上の自然数）の前記第１フレームにおいて前記原本映像が表示された後、Ｍ個（Ｍは、１以上の自然数）の前記第２フレームにおいて前記生体効果映像が表示されることによって、前記生体効果映像が、Ｎ＋Ｍ個のフレームに相応する周期で周期的に表示されてもよい。
【００８４】
一実施例において、ディスプレイドライバ２５０は、前記生体効果映像に対する第２映像データ（ＢＩＯ_ＲＧＢ）を保存するメモリ部２７０を含み、映像処理部２６０は、前記第２フレームにおいて第１映像データ（ＲＧＢ）に代ってメモリ部２７０に保存された第２映像データ（ＢＩＯ_ＲＧＢ）を出力してもよい。
【００８５】
他の実施例において、映像処理部２６０は、前記第２フレームにおいて第１映像データ（ＲＧＢ）を変調して第２映像データ（ＢＩＯ_ＲＧＢ）を生成して駆動部２８０に第２映像データ（ＢＩＯ_ＲＧＢ）を出力してもよい。実施例によって、映像処理部２６０は、第１映像データ（ＲＧＢ）を所定の映像（例えば、行動誘導映像、生体リズム制御映像、色弱補償映像または光治療映像）に対する映像データと合成して第２映像データ（ＢＩＯ_ＲＧＢ）を生成したり、第１映像データ（ＲＧＢ）に含まれた各ピクセルに対するＲサブピクセルデータ、ＧサブピクセルデータおよびＢサブピクセルデータのうち、少なくとも一つを増加または減少させることによって第２映像データ（ＢＩＯ_ＲＧＢ）を生成してもよい。例えば、Ｒサブピクセルデータ、ＧサブピクセルデータおよびＢサブピクセルデータのうち、少なくとも一つのデータのビット値を増加又は減少させて第２映像データ（ＢＩＯ_ＲＧＢ）が生成されてもよい。
【００８６】
このように、ディスプレイドライバ２５０を含む表示装置２００およびモバイル装置１００においては、ディスプレイドライバ２５０が外部装置によるデータ処理をせずに生体効果映像提供機能を自主的に備えることによって、生体効果映像提供のためのモバイル装置１００の電力消耗およびデータ処理量が減少されてもよい。
【００８７】
図４は、本発明の実施例による生体効果映像を提供するディスプレイ装置の駆動方法を示す手順図であり、図５は、図４の駆動方法によって表示される映像フレームの一例を示す図面である。
【００８８】
図１、図２、図４および図５を参照すると、ディスプレイドライバ２５０に含まれたメモリ部２７０には、生体効果映像３４０に対する第２映像データ（ＢＩＯ_ＲＧＢ）が保存されてもよい（Ｓ３１０）。実施例によって、生体効果映像３４０に対する第２映像データ（ＢＩＯ_ＲＧＢ）は、行動誘導映像に対する映像データ、生体リズム制御映像に対する映像データ、色弱補償映像に対する映像データまたは光治療映像に対する映像データであってもよい。
【００８９】
ディスプレイドライバ２５０は、あるフレームに相応する原本映像に対応する第１映像データ（ＲＧＢ）を受信してもよい（Ｓ３２０）。ディスプレイドライバ２５０は、生体効果映像３４０を周期的に表示するように、受信されたフレーム数を示すフレームカウント（ＦＲＡＭＥ＿ＣＮＴ）を所望の周期（Ｔ）に相応する所定の値と比較してもよい（Ｓ３３０）。フレームカウント（ＦＲＡＭＥ＿ＣＮＴ）が前記所定の値と一致しない場合（Ｓ３３０:ＮＯ）、ディスプレイドライバ２５０に含まれた映像処理部２６０は、受信された第１映像データ（ＲＧＢ）をそのまま出力して、ディスプレイドライバ２５０に含まれた駆動部２８０は第１映像データ（ＲＧＢ）に基づいてディスプレイパネル２３０を駆動して、ディスプレイパネル２３０は、第１映像データ（ＲＧＢ）に相応する原本映像３２０を表示してもよい（Ｓ３４０）。一方、ディスプレイドライバ２５０は、フレームカウント（ＦＲＡＭＥ＿ＣＮＴ）を１ほど増加させてもよい（Ｓ３５０）。一方、ディスプレイドライバ２５０は、フレームカウント（ＦＲＡＭＥ＿ＣＮＴ）が前記所定の値と一致するときまで原本映像３２０を表示してもよい。
【００９０】
フレームカウント（ＦＲＡＭＥ＿ＣＮＴ）が前記所定の値と一致する場合（Ｓ３３０:ＹＥＳ）、ディスプレイドライバ２５０に含まれた映像処理部２６０は、第１映像データ（ＲＧＢ）に代ってメモリ部２７０に保存された第２映像データ（ＢＩＯ_ＲＧＢ）を出力して、ディスプレイドライバ２５０に含まれた駆動部２８０は、第２映像データ（ＢＩＯ_ＲＧＢ）に基づいてディスプレイパネル２３０を駆動して、ディスプレイパネル２３０は、第２映像データ（ＢＩＯ_ＲＧＢ）に相応する生体効果映像３４０を表示してもよい（Ｓ３６０）。実施例によって、生体効果映像３４０は、行動誘導映像、生体リズム制御映像、色弱補償映像または光治療映像であってもよい。一方、ディスプレイドライバ２５０は、フレームカウント（ＦＲＡＭＥ＿ＣＮＴ）を０に初期化して（Ｓ３７０）、上記した動作を繰り返すことによって、ディスプレイ装置２００は、生体効果映像３４０を所定の周期（Ｔ）で表示してもよい。
【００９１】
それによって、図５に図示されたように、ディスプレイドライバ２５０を含む表示装置２００およびモバイル装置１００においては、原本映像（ORIGINAL IMAGE）３２０が表示されて、所定の周期（Ｔ）ごとに少なくとも一つのフレームにおいて原本映像３２０に代って生体効果映像（BIO IMAGE, BIO EFFECT IMAGE）３４０が表示されてもよい。このように、ディスプレイドライバ２５０を含む表示装置２００およびモバイル装置１００においては、ディスプレイドライバ２５０が外部装置によるデータ処理せずに生体効果映像提供機能を自主的に備えることによって、生体効果映像提供のためのモバイル装置１００の電力消耗およびデータ処理量が減少されてもよい。
【００９２】
図６は、本発明の実施例による行動誘導映像を提供するディスプレイ装置の駆動方法を示す手順図であり、図７は、図６の駆動方法によって表示される映像フレームの一例を示す図面である。
【００９３】
図１、図２、図６および図７を参照すると、ディスプレイドライバ２５０に含まれたメモリ部２７０にはユーザの所定の行動を誘導するための行動誘導映像４４０に対する第２映像データ（ＢＩＯ_ＲＧＢ）が保存されてもよい（Ｓ４１０）。一実施例において、行動誘導映像４４０は、同調効果を通じてユーザの瞬きを誘導する同調映像または瞬き誘導映像であってもよい。同調映像は、例えば瞬きを表示する映像であり得、その映像を見たユーザに瞬きを誘導する映像であり得る。瞬き誘導映像は、例えば、音声及び／又は映像によりユーザに瞬きをするように誘導する映像であり得る。
【００９４】
ディスプレイドライバ２５０は、あるフレームに相応する原本映像に対する第１映像データ（ＲＧＢ）を受信してもよい（Ｓ４２０）。ディスプレイドライバ２５０は、行動誘導映像４４０を周期的に表示するように、受信されたフレーム数を示すフレームカウント（ＦＲＡＭＥ＿ＣＮＴ）を所望の周期（Ｔ）に相応する所定の値と比較してもよい（Ｓ４３０）。フレームカウント（ＦＲＡＭＥ＿ＣＮＴ）が前記所定の値と一致しない場合（Ｓ４３０:ＮＯ）、ディスプレイドライバ２５０に含まれた映像処理部２６０は、受信された第１映像データ（ＲＧＢ）をそのまま出力して、ディスプレイドライバ２５０に含まれた駆動部２８０は、第１映像データ（ＲＧＢ）に基づいてディスプレイパネル２３０を駆動して、ディスプレイパネル２３０は、第１映像データ（ＲＧＢ）に相応する原本映像４２０を表示してもよい（Ｓ４４０）。一方、ディスプレイドライバ２５０は、フレームカウント（ＦＲＡＭＥ＿ＣＮＴ）を１ほど増加させてもよい（Ｓ４５０）。一方、ディスプレイドライバ２５０は、フレームカウント（ＦＲＡＭＥ＿ＣＮＴ）が前記所定の値と一致するときまで原本映像４２０を表示してもよい。
【００９５】
フレームカウント（ＦＲＡＭＥ＿ＣＮＴ）が前記所定の値と一致する場合（Ｓ４３０:ＹＥＳ）、ディスプレイドライバ２５０に含まれた映像処理部２６０は、第１映像データ（ＲＧＢ）に代ってメモリ部２７０に保存された第２映像データ（ＢＩＯ_ＲＧＢ）を出力して、ディスプレイドライバ２５０に含まれた駆動部２８０は、第２映像データ（ＢＩＯ_ＲＧＢ）に基づいてディスプレイパネル２３０を駆動して、ディスプレイパネル２３０は、第２映像データ（ＢＩＯ_ＲＧＢ）に相応する行動誘導映像４４０を表示してもよい（Ｓ４６０）。例えば、行動誘導映像４４０は、瞬き誘導映像であることもあって、前記瞬き誘導映像を提供されたユーザは、同調効果によって瞬きしてもよい。一方、ディスプレイドライバ２５０は、フレームカウント（ＦＲＡＭＥ＿ＣＮＴ）を０に初期化して（Ｓ４７０）、上記した動作を繰り返すことによって、ディスプレイ装置２００は、行動誘導映像４４０を所定の周期（Ｔ）で表示してもよい。
【００９６】
一実施例において、行動誘導映像４４０は、ユーザによって認知可能な時間より短い時間の間、表示されてもよい。例えば、行動誘導映像４４０が所定の周期（Ｔ）ごとにあるフレームにおいて表示されてもよい。この場合、行動誘導映像４４０は、ユーザによって意識的に認知されず、ユーザの不快感が誘発されないこともある。しかし、行動誘導映像４４０は、ユーザに識閾下（ｓｕｂｌｉｍｉｎａｌ）刺激で提供されて、同調効果または潜在学習（ｓｕｂｌｉｍｉｎａｌ  ｌｅａｒｎｉｎｇ）によってユーザの行動、例えば、瞬きを誘導してもよい。
【００９７】
それによって、図７に図示されたように、ディスプレイドライバ２５０を含む表示装置２００およびモバイル装置１００においては、原本映像４２０が表示されて、所定の周期（Ｔ）ごとに少なくとも一つのフレームにおいて原本映像４２０に代って行動誘導映像４４０が表示されてもよい。
【００９８】
図８は、本発明の実施例による光治療映像を提供するディスプレイ装置の駆動方法を示す手順図であり、図９は、図８の駆動方法によって表示される映像フレームの一例を示す図面であり、図１０乃至図１２は、図８の駆動方法によって提供される光治療映像の例を説明するための図面である。
【００９９】
図１、図２、図８乃至図１２を参照すると、ディスプレイドライバ２５０に含まれたメモリ部２７０には光治療映像５４０に対する第２映像データ（ＢＩＯ_ＲＧＢ）が保存されてもよい（Ｓ５１０）。実施例によって、光治療映像５４０は、抗炎治療映像、にきび治療映像、シワ治療映像、美白治療映像、うつ病治療映像または滅菌治療映像であってもよい。光治療映像５４０は、例えば、画像を構成するＲサブピクセルデータ、Ｇサブピクセルデータ、Ｂサブピクセルデータの少なくとも１つにおいて、ピクセルデータのビット値を増加又は減少させることにより形成され得る。また、光治療映像５４０は、輝度を増加又は減少等させることにより形成され得る。
【０１００】
ディスプレイドライバ２５０は、あるフレームに相応する原本映像に対する第１映像データ（ＲＧＢ）を受信してもよい（Ｓ５２０）。ディスプレイドライバ２５０は、光治療映像５４０を周期的に表示するように、受信されたフレーム数を示すフレームカウント（ＦＲＡＭＥ＿ＣＮＴ）を所望の周期（Ｔ）に相応する所定の値と比較してもよい（Ｓ５３０）。フレームカウント（ＦＲＡＭＥ＿ＣＮＴ）が前記所定の値と一致しない場合（Ｓ５３０:ＮＯ）、ディスプレイドライバ２５０に含まれた映像処理部２６０は受信された第１映像データ（ＲＧＢ）をそのまま出力して、ディスプレイドライバ２５０に含まれた駆動部２８０は、第１映像データ（ＲＧＢ）に基づいてディスプレイパネル２３０を駆動して、ディスプレイパネル２３０は、第１映像データ（ＲＧＢ）に相応する原本映像５２０を表示してもよい（Ｓ５５０）。一方、ディスプレイドライバ２５０は、フレームカウント（ＦＲＡＭＥ＿ＣＮＴ）を１ほど増加させてもよい（Ｓ５５０）。一方、ディスプレイドライバ２５０は、フレームカウント（ＦＲＡＭＥ＿ＣＮＴ）が前記所定の値と一致するときまで原本映像５２０を表示してもよい。
【０１０１】
フレームカウント（ＦＲＡＭＥ＿ＣＮＴ）が前記所定の値と一致する場合（Ｓ５３０:ＹＥＳ）、ディスプレイドライバ２５０に含まれた映像処理部２６０は第１映像データ（ＲＧＢ）に代ってメモリ部２７０に保存された第２映像データ（ＢＩＯ_ＲＧＢ）を出力して、ディスプレイドライバ２５０に含まれた駆動部２８０は、第２映像データ（ＢＩＯ_ＲＧＢ）に基づいてディスプレイパネル２３０を駆動して、ディスプレイパネル２３０は、第２映像データ（ＢＩＯ_ＲＧＢ）に相応する光治療映像５４０を表示してもよい（Ｓ５６０）。一実施例において、光治療映像５４０は、ユーザによって認知可能な時間より短い時間の間、表示されてもよい。
【０１０２】
一実施例において、メモリ部２７０に保存された光治療映像５４０に対する映像データは、各ピクセルに対してＧサブピクセルデータおよびＢサブピクセルデータより大きい値を有するＲサブピクセルデータを含んでもよい。例えば、光治療映像５４０に対する映像データは、各ピクセルに対して０の値を有するＧサブピクセルデータ、０の値を有するＢサブピクセルデータ、および０でない値、例えば、最大値を有するＲサブピクセルデータを含んでもよい。それによって、光治療映像５４０は、図１０に図示されたように、各ピクセルに対してＧ輝度およびＢ輝度より高いＲ輝度を有してもよく、例えば、このような光治療映像５４０は、抗炎治療映像、にきび治療映像またはシワ治療映像であってもよい。なお、図１０において、横軸は波長（WAVELENGTH）であり、縦軸は輝度（LUMINANCE）である。
【０１０３】
他の実施例において、メモリ部２７０に保存された光治療映像５４０に対する映像データは、各ピクセルに対して、ＲサブピクセルデータおよびＢサブピクセルデータより大きい値を有するＧサブピクセルデータを含んでもよい。例えば、光治療映像５４０に対する映像データは、各ピクセルに対して０の値を有するＲサブピクセルデータ、０の値を有するＢサブピクセルデータ、および０でない値、例えば、最大値を有するＧサブピクセルデータを含んでもよい。それによって、光治療映像５４０は、図１１に図示されたように、各ピクセルに対してＲ輝度およびＢ輝度より高いＧ輝度を有してもよく、例えば、このような光治療映像５４０は、美白治療映像であってもよい。なお、図１１において、横軸は波長（WAVELENGTH）であり、縦軸は輝度（LUMINANCE）である。
【０１０４】
また他の実施例において、メモリ部２７０に保存された光治療映像５４０に対する映像データは、各ピクセルに対してＲサブピクセルデータおよびＧサブピクセルデータより大きい値を有するＢサブピクセルデータを含んでもよい。例えば、光治療映像５４０に対する映像データは、各ピクセルに対して０の値を有するＲサブピクセルデータ、０の値を有するＧサブピクセルデータ、および０でない値、例えば、最大値を有するＢサブピクセルデータを含んでもよい。それによって、光治療映像５４０は、図１２に図示されたように、各ピクセルに対してＲ輝度およびＧ輝度より高いＢ輝度を有してもよく、例えば、このような光治療映像５４０は、うつ病治療映像または滅菌治療映像であってもよい。なお、図１２において、横軸は波長（WAVELENGTH）であり、縦軸は輝度（LUMINANCE）である。
【０１０５】
それによって、図９に図示されたように、ディスプレイドライバ２５０を含む表示装置２００およびモバイル装置１００においては、原本映像５２０が表示されて、所定の周期（Ｔ）ごとに少なくとも一つのフレームにおいて原本映像５２０に代って光治療映像５４０が表示されてもよい。
【０１０６】
図１３は、本発明の実施例による生体効果映像を提供するディスプレイ装置の駆動方法を示す手順図であり、図１４は、図１３の駆動方法によって表示される映像フレームの一例を示す図面である。
【０１０７】
図１、図２、図１３および図１４を参照すると、ディスプレイドライバ２５０は、あるフレームに相応する原本映像に対する第１映像データ（ＲＧＢ）を受信してもよい（Ｓ６１０）。ディスプレイドライバ２５０は、生体効果映像６６０を周期的に表示するように、受信されたフレーム数を示すフレームカウント（ＦＲＡＭＥ＿ＣＮＴ）を所望の周期（Ｔ）に相応する所定の値と比較してもよい（Ｓ６２０）。フレームカウント（ＦＲＡＭＥ＿ＣＮＴ）が前記所定の値と一致しない場合（Ｓ６２０:ＮＯ）、ディスプレイドライバ２５０に含まれた映像処理部２６０は、受信された第１映像データ（ＲＧＢ）をそのまま出力して、ディスプレイドライバ２５０に含まれた駆動部２８０は、第１映像データ（ＲＧＢ）に基づいてディスプレイパネル２３０を駆動して、ディスプレイパネル２３０は、第１映像データ（ＲＧＢ）に相応する原本映像６２０を表示してもよい（Ｓ６３０）。一方、ディスプレイドライバ２５０は、フレームカウント（ＦＲＡＭＥ＿ＣＮＴ）を１ほど増加させてもよい（Ｓ６４０）。一方、ディスプレイドライバ２５０は、フレームカウント（ＦＲＡＭＥ＿ＣＮＴ）が前記所定の値と一致するときまで原本映像６２０を表示してもよい。
【０１０８】
フレームカウント（ＦＲＡＭＥ＿ＣＮＴ）が前記所定の値と一致する場合（Ｓ６２０:ＹＥＳ）、ディスプレイドライバ２５０に含まれた映像処理部２６０は、第１映像データ（ＲＧＢ）を変調して生体効果映像６６０に対する第２映像データ（ＢＩＯ_ＲＧＢ）を生成して、ディスプレイドライバ２５０に含まれた駆動部２８０に第２映像データ（ＢＩＯ_ＲＧＢ）を出力してもよい（Ｓ６５０）。一実施例において、映像処理部２６０は、原本映像６２０と所定の映像（例えば、行動誘導映像、生体リズム制御映像、色弱補償映像または光治療映像）が重複（ｏｖｅｒｌａｙ）または合成された生体効果映像６６０が生成されるように、第１映像データ（ＲＧＢ）と前記所定の映像に対する映像データを合成して第２映像データ（ＢＩＯ_ＲＧＢ）を生成してもよい。他の実施例において、映像処理部２６０は、第１映像データ（ＲＧＢ）に含まれた各ピクセルに対するＲサブピクセルデータ、ＧサブピクセルデータおよびＢサブピクセルデータのうち、少なくとも一つを増加または減少させることによって第２映像データ（ＢＩＯ_ＲＧＢ）を生成してもよい。また、第２映像データ（ＢＩＯ_ＲＧＢ）は、輝度を増加又は減少等させることにより形成され得る。
【０１０９】
駆動部２８０は、第２映像データ（ＢＩＯ_ＲＧＢ）に基づいてディスプレイパネル２３０を駆動して、ディスプレイパネル２３０は、第２映像データ（ＢＩＯ_ＲＧＢ）に相応する生体効果映像６６０を表示してもよい（Ｓ６６０）。実施例によって、生体効果映像６６０は、原本映像６２０と、行動誘導映像、生体リズム制御映像、色弱補償映像または光治療映像の少なくとも１つとが合成された映像であってもよい。一方、ディスプレイドライバ２５０は、フレームカウント（ＦＲＡＭＥ＿ＣＮＴ）を０に初期化して（Ｓ６７０）、上記した動作を繰り返すことによって、ディスプレイ装置２００は、生体効果映像６６０を所定の周期（Ｔ）で表示してもよい。
【０１１０】
それによって、図１４に図示されたように、ディスプレイドライバ２５０を含む表示装置２００およびモバイル装置１００においては、原本映像（ORIGINAL IMAGE）６２０が表示されて、所定の周期（Ｔ）ごとに少なくとも一つのフレームにおいて原本映像６２０が変調(MODULATION)して生成された生体効果映像（BIO IMAGE, BIO EFFECT IMAGE）６６０が表示されてもよい。このように、ディスプレイドライバ２５０を含む表示装置２００およびモバイル装置１００においては、ディスプレイドライバ２５０が外部装置によるデータ処理せずに生体効果映像提供機能を自主的に備えることによって、生体効果映像提供のためのモバイル装置１００の電力消耗およびデータ処理量が減少されてもよい。
【０１１１】
図１５は、本発明の実施例による生体効果映像を提供するディスプレイ装置の駆動方法の一例を示す手順図である。
【０１１２】
図１、図２および図１５を参照すると、映像処理部２６０において実行される原本映像に対する変調動作のセッティング値が設定されてもよい（Ｓ２１０）。例えば、前記変調動作のセッティング値は、生体効果映像提供機能の活性化の有無を示すＢＩＯ_ＥＮ、前記変調動作の周期に相応するフレーム数を示すＢＩＯ_ＣＹＣＬＥ、一つの周期内で生体効果映像のフレームの数を示すＢＩＯ_ＮＵＭ、原本映像と、前記原本映像に合成される所定の映像（例えば、行動誘導映像、生体リズム制御映像、色弱補償映像または光治療映像）のデータ加重値比率を示すＢＩＯ_ＤＥＰＴＨを含んでもよい。生体効果映像提供機能の活性化が有りの場合は生体効果モードが有効な場合であり得、生体効果映像提供機能の活性化が無しの場合は生体効果モードが無効な場合であり得る。
実施例によって、前記変調動作のセッティング値は、ユーザの選択によって設定されたり、外部装置（例えば、ＧＰＵ１１５）によって自動的に設定されたり、基本（ｄｅｆａｕｌｔ）値が設定されてもよい。また、あるいは、図示しない検知手段によって、生体の脳波、心拍数、血圧などの生体の状態や、生体が存在する部屋の温度、湿度などの状態などを検知することにより、セッティング値が設定されてもよい。一実施例において、前記変調動作のセッティング値は、ディスプレイ装置２００のスリープモードの間も設定またはアップデートされてもよい。
【０１１３】
メモリ部２７０に生体効果映像に対する情報（ＢＩＯ_ＤＡＴＡ）が保存されてもよい（Ｓ２１５）。実施例によって、前記生体効果映像に対する情報（ＢＩＯ_ＤＡＴＡ）は、ディスプレイドライバ２５０の製造時またはディスプレイ装置２００のスリープモードの間に、保存またはアップデートされてもよい。実施例によって、生体効果映像に対する情報（ＢＩＯ_ＤＡＴＡ）は、前記原本映像に合成される所定の映像（例えば、行動誘導映像、生体リズム制御映像、色弱補償映像または光治療映像）に対する（２進（ｂｉｎａｒｙ）または２以上のビットの）映像データや、前記変調動作に対する情報であってもよい。
【０１１４】
ディスプレイドライバ２５０は、あるフレームに相応する原本映像に対する第１映像データ（ＲＧＢ）を受信してもよい（Ｓ２２０）。また、ディスプレイドライバ２５０は、受信されたフレーム数を示すフレームカウント（ＦＲＡＭＥ＿ＣＮＴ）を１ほど増加させてもよい。一方、生体効果映像提供機能が活性化しなかった場合（例えば、ＢＩＯ_ＥＮ＝０）（Ｓ２３０:ＮＯ）、映像処理部２６０は、変調動作を行わない可能性があって、ディスプレイドライバ２５０は、第１映像データ（ＲＧＢ）に基づいて原本映像を表示するようにディスプレイパネル２３０を駆動してもよい（Ｓ２８０）。
【０１１５】
生体効果映像提供機能が活性化された場合（例えば、ＢＩＯ_ＥＮ＝１）（Ｓ２３０:ＹＥＳ）、フレームカウント（ＦＲＡＭＥ＿ＣＮＴ）が前記変調動作の周期に相応するフレーム数（ＢＩＯ_ＣＹＣＬＥ）および前記変調映像のフレームの数（ＢＩＯ_ＮＵＭ）より小さい場合（Ｓ２４０:ＹＥＳ、Ｓ２５０:ＹＥＳ）、映像処理部２６０は、生体効果映像に対する情報（ＢＩＯ_ＤＡＴＡ）に基づいて第１映像データ（ＲＧＢ）を変調する変調動作を行ってもよい（Ｓ２６０）。一実施例において、映像処理部２６０は、設定されたデータ加重値比率（ＢＩＯ_ＤＥＰＴＨ）で前記原本映像と前記所定の映像（例えば、行動誘導映像、生体リズム制御映像、色弱補償映像または光治療映像）を重複させる合成動作を行ってもよい。
【０１１６】
ディスプレイドライバ２５０は、前記原本映像と前記所定の映像が合成された前記生体効果映像を表示するようにディスプレイパネル２３０を駆動してもよい（Ｓ２７０）。一方、ディスプレイドライバ２５０は、フレームカウント（ＦＲＡＭＥ＿ＣＮＴ）が前記変調映像のフレームの数（ＢＩＯ_ＮＵＭ）より大きくなるときまで前記原本映像と前記所定の映像が合成された前記生体効果映像を表示するようにディスプレイパネル２３０を駆動してもよい。
【０１１７】
一方、フレームカウント（ＦＲＡＭＥ＿ＣＮＴ）が前記変調映像のフレームの数（ＢＩＯ_ＮＵＭ）より大きい場合（Ｓ２５０:ＮＯ）、映像処理部２６０は、変調動作を行わない可能性があって、ディスプレイドライバ２５０は、第１映像データ（ＲＧＢ）に基づいて前記原本映像を表示するようにディスプレイパネル２３０を駆動してもよい（Ｓ２８０）。また、フレームカウント（ＦＲＡＭＥ＿ＣＮＴ）が前記変調動作の周期に相応するフレーム数（ＢＩＯ_ＣＹＣＬＥ）より大きい場合（Ｓ２４０:ＮＯ）、ディスプレイドライバ２５０は、フレームカウント（ＦＲＡＭＥ＿ＣＮＴ）を０に初期化して（Ｓ２４５）、上記した動作を繰り返してもよい。
【０１１８】
それによって、ディスプレイドライバ２５０を含む表示装置２００およびモバイル装置１００においては、所定の周期に相応するフレーム数（ＢＩＯ_ＣＹＣＬＥ）ごとに、設定された個数のフレーム（ＢＩＯ_ＮＵＭ）において、前記原本映像と前記所定の映像が合成された前記生体効果映像が表示されてもよい。このように、ディスプレイドライバ２５０は、外部装置によるデータ処理せずに生体効果映像提供機能を自主的に備えることによって、生体効果映像提供のためのモバイル装置１００の電力消耗およびデータ処理量が減少されてもよい。
【０１１９】
図１６は、本発明の実施例による行動誘導映像を提供するディスプレイ装置の駆動方法を示す手順図であり、図１７は、図１６の駆動方法によって表示される映像フレームの一例を示す図面であり、図１８乃至図２０は、図１６の駆動方法において実行される変調動作の例を説明するための図面である。
【０１２０】
図１、図２、および図１６乃至図２０を参照すると、ディスプレイドライバ２５０に含まれたメモリ部２７０にはユーザの所定の行動を誘導するための行動誘導映像７４０に対する映像データが保存されてもよい（Ｓ７１０）。一実施例において、行動誘導映像７４０は、同調効果を通じてユーザの瞬きを誘導する同調映像または瞬き誘導映像であってもよい。
【０１２１】
ディスプレイドライバ２５０は、あるフレームに相応する原本映像に対する第１映像データ（ＲＧＢ）を受信してもよい（Ｓ７２０）。ディスプレイドライバ２５０は、受信されたフレーム数を示すフレームカウント（ＦＲＡＭＥ＿ＣＮＴ）を所望の周期（Ｔ）に相応する所定の値と比較してもよい（Ｓ７３０）。フレームカウント（ＦＲＡＭＥ＿ＣＮＴ）が前記所定の値と一致しない場合（Ｓ７３０:ＮＯ）、ディスプレイドライバ２５０に含まれた映像処理部２６０は、受信された第１映像データ（ＲＧＢ）をそのまま出力して、ディスプレイドライバ２５０に含まれた駆動部２８０は、第１映像データ（ＲＧＢ）に基づいてディスプレイパネル２３０を駆動して、ディスプレイパネル２３０は、第１映像データ（ＲＧＢ）に相応する原本映像７２０を表示してもよい（Ｓ７４０）。一方、ディスプレイドライバ２５０は、フレームカウント（ＦＲＡＭＥ＿ＣＮＴ）を１ほど増加させてもよい（Ｓ７５０）。一方、ディスプレイドライバ２５０は、フレームカウント（ＦＲＡＭＥ＿ＣＮＴ）が前記所定の値と一致するときまで原本映像７２０を表示してもよい。
【０１２２】
フレームカウント（ＦＲＡＭＥ＿ＣＮＴ）が前記所定の値と一致する場合（Ｓ７３０:ＹＥＳ）、ディスプレイドライバ２５０に含まれた映像処理部２６０は、第１映像データ（ＲＧＢ）とメモリ部２７０に保存された行動誘導映像７４０に対する映像データを合成して生体効果映像７６０に対する第２映像データ（ＢＩＯ_ＲＧＢ）を生成してもよい（Ｓ７６０）。
【０１２３】
一例において、図１８に図示されたように、第１映像データ（ＲＧＢ）は、各ピクセルに対して原本Ｒサブピクセルデータ（ＯＲＤ）、原本Ｇサブピクセルデータ（ＯＧＤ）および原本Ｂサブピクセルデータ（ＯＢＤ）を含んでもよい（図１８の上段のMODULATION前）。また、映像処理部２６０は、各ピクセルに対して原本Ｒサブピクセルデータ（ＯＲＤ）に行動誘導映像７４０に対する映像データのＲサブピクセルデータ（ＢＲＤ）によって決定される所定の値（ｆ（ＢＲＤ））を乗算して、原本Ｇサブピクセルデータ（ＯＧＤ）に行動誘導映像７４０に対する映像データのＧサブピクセルデータ（ＢＧＤ）によって決定される所定の値（ｆ（ＢＧＤ））を乗算して、原本Ｂサブピクセルデータ（ＯＢＤ）に行動誘導映像７４０に対する映像データのＢサブピクセルデータ（ＢＢＤ）によって決定される所定の値（ｆ（ＢＢＤ））を乗算してデータを増加する変調動作を行ってもよい（図１８の下段のMODULATION後）。例えば、行動誘導映像７４０に対する映像データのＲ、ＧおよびＢサブピクセルデータ（ＢＲＤ、ＢＧＤ、ＢＢＤ）によって決定される所定の値（ｆ（ＢＲＤ）、ｆ（ＢＧＤ）、ｆ（ＢＢＤ））は設定されたデータ加重値比率によって可変されてもよい。
【０１２４】
他の例において、図１９に図示されたように、映像処理部２６０は、図１９の上段のMODULATION前の各ピクセルに対して原本Ｒサブピクセルデータ（ＯＲＤ）に行動誘導映像７４０に対する映像データのＲサブピクセルデータ（ＢＲＤ）によって決定される所定の値（ｆ（ＢＲＤ））を加算して、原本Ｇサブピクセルデータ（ＯＧＤ）に行動誘導映像７４０に対する映像データのＧサブピクセルデータ（ＢＧＤ）によって決定される所定の値（ｆ（ＢＧＤ））を加算して、原本Ｂサブピクセルデータ（ＯＢＤ）に行動誘導映像７４０に対する映像データのＢサブピクセルデータ（ＢＢＤ）によって決定される所定の値（ｆ（ＢＢＤ））を加算してデータを増加する変調動作を行ってもよい（図１９の下段のMODULATION後）。
【０１２５】
また他の例において、図２０に図示されたように、映像処理部２６０は、図２０の上段のMODULATION前の各ピクセルに対して原本Ｒ、ＧおよびＢサブピクセルデータ（ＯＲＤ、ＯＧＤ、ＯＲＢ）を所定の定数値（ＦＲＤ、ＦＧＤ、ＦＢＤ）に変換する変調動作を行ってもよい（図２０の下段のMODULATION後）。
【０１２６】
ディスプレイドライバ２５０に含まれた駆動部２８０は、第２映像データ（ＢＩＯ_ＲＧＢ）に基づいてディスプレイパネル２３０を駆動して、ディスプレイパネル２３０は、第２映像データ（ＢＩＯ_ＲＧＢ）に相応する、原本映像７２０と行動誘導映像７４０が合成された生体効果映像７６０を表示してもよい（Ｓ７７０）。例えば、行動誘導映像７４０は、瞬き誘導映像であることもあって、前記瞬き誘導映像が合成された生体効果映像７６０を提供されたユーザは同調効果によって瞬きしてもよい。一方、ディスプレイドライバ２５０は、受信されたフレームのカウント値（ＦＲＡＭＥ＿ＣＮＴ）を０に初期化して（Ｓ７８０）、上記した動作を繰り返すことによって、ディスプレイ装置２００は、生体効果映像７６０を所定の周期（Ｔ）で表示してもよい。
【０１２７】
一実施例において、原本映像７２０と行動誘導映像７４０が合成された生体効果映像７６０は、ユーザによって認知可能な時間より短い時間の間、表示されてもよい。この場合、行動誘導映像７４０は、ユーザによって意識的に認知されず、ユーザの不快感が誘発されないこともある。しかし、行動誘導映像７４０は、ユーザに識閾下（ｓｕｂｌｉｍｉｎａｌ）刺激で提供されて、同調効果または潜在学習（ｓｕｂｌｉｍｉｎａｌ  ｌｅａｒｎｉｎｇ）によってユーザの行動、例えば、瞬きを誘導してもよい。
【０１２８】
それによって、図１７に図示されたように、ディスプレイドライバ２５０を含む表示装置２００およびモバイル装置１００においては、原本映像７２０が表示されて、所定の周期（Ｔ）ごとに少なくとも一つのフレームにおいて原本映像７２０と行動誘導映像７４０が合成された生体効果映像７６０が表示されてもよい。
【０１２９】
図２１は、本発明の実施例による生体リズム制御映像を提供するディスプレイ装置の駆動方法を示す手順図であり、図２２および図２３は、図２１の駆動方法において実行される変調動作の例を説明するための図面である。
【０１３０】
図１、図２、図２１、図２２および図２３を参照すると、ディスプレイドライバ２５０は、あるフレームに相応する原本映像に対する第１映像データ（ＲＧＢ）を受信してもよい（Ｓ８１０）。ディスプレイドライバ２５０は、受信されたフレーム数を示すフレームカウント（ＦＲＡＭＥ＿ＣＮＴ）を所望の周期に相応する所定の値と比較してもよい（Ｓ８２０）。フレームカウント（ＦＲＡＭＥ＿ＣＮＴ）が前記所定の値と一致しない場合（Ｓ８２０:ＮＯ）、ディスプレイドライバ２５０に含まれた映像処理部２６０は、受信された第１映像データ（ＲＧＢ）をそのまま出力して、ディスプレイドライバ２５０に含まれた駆動部２８０は、第１映像データ（ＲＧＢ）に基づいてディスプレイパネル２３０を駆動して、ディスプレイパネル２３０は、第１映像データ（ＲＧＢ）に相応する原本映像を表示してもよい（Ｓ８３０）。一方、ディスプレイドライバ２５０は、フレームカウント（ＦＲＡＭＥ＿ＣＮＴ）を１ほど増加させてもよい（Ｓ８４０）。一方、ディスプレイドライバ２５０は、フレームカウント（ＦＲＡＭＥ＿ＣＮＴ）が前記所定の値と一致するときまで前記原本映像を表示してもよい。フレームカウント（ＦＲＡＭＥ＿ＣＮＴ）が前記所定の値と一致する場合（Ｓ８２０:ＹＥＳ）、ディスプレイドライバ２５０に含まれた映像処理部２６０は、第１映像データ（ＲＧＢ）に含まれた各ピクセルに対するＢサブピクセルデータを調節して生体効果映像（例えば、生体リズム制御映像）に対する第２映像データ（ＢＩＯ_ＲＧＢ）を生成してもよい（Ｓ８５０）。
【０１３１】
一実施例において、映像処理部２６０は、図２２に図示されたように、第１映像データ（ＲＧＢ）で前記Ｂサブピクセルデータ（図２２の上段のMODULATION前）を減少させて第２映像データ（ＢＩＯ_ＲＧＢ）を生成（図２２の下段のMODULATION後）してもよい。例えば、映像処理部２６０は、原本Ｂサブピクセルデータ（ＯＢＤ）に生体リズム制御映像に対する映像データのＢサブピクセルデータ（ＢＢＤ）によって決定される所定の値（ｆ（ＢＢＤ））を乗算して減少させる変調動作を行ってもよい（図２２の下段のMODULATION後）。この場合、ディスプレイドライバ２５０に含まれた駆動部２８０は、前記Ｂサブピクセルデータが減少された第２映像データ（ＢＩＯ_ＲＧＢ）に基づいてディスプレイパネル２３０を駆動して、ディスプレイパネル２３０は、生体効果映像として前記原本映像で青色輝度が減少されてメラトニン分泌の抑制を防止する生体リズム制御映像を表示してもよい（Ｓ８６０）。
【０１３２】
他の実施例において、映像処理部２６０は、図２３に図示されたように、第１映像データ（ＲＧＢ）で前記Ｂサブピクセルデータ（図２３の上段のMODULATION前）を増加させて第２映像データ（ＢＩＯ_ＲＧＢ）を生成（図２３の下段のMODULATION後）してもよい。例えば、映像処理部２６０は、原本Ｂサブピクセルデータ（ＯＢＤ）に生体リズム制御映像に対する映像データのＢサブピクセルデータ（ＢＢＤ）によって決定される所定の値（ｆ（ＢＢＤ））を乗算して増加させる変調動作を行ってもよい（図２３の下段のMODULATION後）。この場合、ディスプレイドライバ２５０に含まれた駆動部２８０は、前記Ｂサブピクセルデータが増加された第２映像データ（ＢＩＯ_ＲＧＢ）に基づいてディスプレイパネル２３０を駆動して、ディスプレイパネル２３０は、生体効果映像として前記原本映像で青色輝度が増加されてメラトニン分泌を抑制する生体リズム制御映像を表示してもよい（Ｓ８６０）。
【０１３３】
一方、ディスプレイドライバ２５０は、フレームカウント（ＦＲＡＭＥ＿ＣＮＴ）を０に初期化して（Ｓ８７０）、上記した動作を繰り返すことによって、ディスプレイ装置２００は、前記生体リズム制御映像を所定の周期で表示してもよい。
【０１３４】
それによって、ディスプレイドライバ２５０を含む表示装置２００およびモバイル装置１００においては、原本映像が表示されて、所定のフレーム（例えば、毎フレームまたは２以上のフレーム）ごとに少なくとも一つのフレームにおいて原本映像で青色輝度が調節された生体リズム制御映像が表示されてもよい。
【０１３５】
図２４は、本発明の実施例による色弱補償映像を提供するディスプレイ装置の駆動方法を示す手順図であり、図２５は、図２４の駆動方法によって表示される映像フレームの一例を示す図面である。
【０１３６】
図１、図２、図２４および図２５を参照すると、ディスプレイドライバ２５０は、あるフレームに相応する原本映像に対応する第１映像データ（ＲＧＢ）を受信してもよい（Ｓ９１０）。ディスプレイドライバ２５０は、受信されたフレーム数を示すフレームカウント（ＦＲＡＭＥ＿ＣＮＴ）を所望の周期に相応する所定の値と比較してもよい（Ｓ９２０）。フレームカウント（ＦＲＡＭＥ＿ＣＮＴ）が前記所定の値と一致しない場合（Ｓ９２０:ＮＯ）、ディスプレイドライバ２５０に含まれた映像処理部２６０は、受信された第１映像データ（ＲＧＢ）をそのまま出力して、ディスプレイドライバ２５０に含まれた駆動部２８０は、第１映像データ（ＲＧＢ）に基づいてディスプレイパネル２３０を駆動して、ディスプレイパネル２３０は、第１映像データ（ＲＧＢ）に相応する原本映像９２０を表示してもよい（Ｓ９３０）。一方、ディスプレイドライバ２５０は、フレームカウント（ＦＲＡＭＥ＿ＣＮＴ）を１ほど増加させてもよい（Ｓ９４０）。一方、ディスプレイドライバ２５０は、フレームカウント（ＦＲＡＭＥ＿ＣＮＴ）が前記所定の値と一致するときまで原本映像９２０を表示してもよい。
【０１３７】
フレームカウント（ＦＲＡＭＥ＿ＣＮＴ）が前記所定の値と一致する場合（Ｓ９２０:ＹＥＳ）、ディスプレイドライバ２５０に含まれた映像処理部２６０は、第１映像データ（ＲＧＢ）を変調して色弱補償映像に対する第２映像データ（ＢＩＯ_ＲＧＢ）を生成してもよい（Ｓ９５０）。
【０１３８】
一実施例において、図２５に図示されたように、映像処理部２６０は、原本映像（ORGINAL IMAGE）９２０と色弱補償映像（COLOR WEAKNESS COMPENSATION IMAGE）９４０が重複（ｏｖｅｒｌａｙ）または合成された生体効果映像９６０が生成されるように、第１映像データ（ＲＧＢ）と色弱補償映像９４０に対する映像データを合成して生体効果映像（BIO EFFECT IMAGE）９６０に対する第２映像データ（ＢＩＯ_ＲＧＢ）を生成してもよい。ディスプレイドライバ２５０に含まれた駆動部２８０は、第２映像データ（ＢＩＯ_ＲＧＢ）に基づいてディスプレイパネル２３０を駆動して、ディスプレイパネル２３０は、原本映像９２０と色弱補償映像９４０が合成された生体効果映像９６０を表示してもよい（Ｓ９６０）。例えば、色弱補償映像９４０は、赤色弱者の視認性を増加させるようにＲ輝度が増加された映像、緑色弱者の視認性を増加させるようにＧ輝度が増加された映像、赤緑色弱者の視認性を増加させるようにＲおよびＧ輝度が増加された映像などであってもよい。
【０１３９】
他の実施例において、映像処理部２６０は、第１映像データ（ＲＧＢ）でＲサブピクセルデータを増加、例えばＲサブピクセルデータのビット数を増加させて第２映像データ（ＢＩＯ_ＲＧＢ）を生成して（Ｓ９５０）、駆動部２８０は、Ｒサブピクセルデータが増加された第２映像データ（ＢＩＯ_ＲＧＢ）に基づいてディスプレイパネル２３０を駆動して、ディスプレイパネル２３０は、原本映像でＲ輝度が増加されて赤色弱者の視認性を増加させる色弱補償映像を表示してもよい（Ｓ９６０）。
【０１４０】
また他の実施例において、映像処理部２６０は、第１映像データ（ＲＧＢ）でＧサブピクセルデータを増加、例えばＧサブピクセルデータのビット数を増加させて第２映像データ（ＢＩＯ_ＲＧＢ）を生成して（Ｓ９５０）、駆動部２８０は、Ｇサブピクセルデータが増加された第２映像データ（ＢＩＯ_ＲＧＢ）に基づいてディスプレイパネル２３０を駆動して、ディスプレイパネル２３０は、原本映像でＧ輝度が増加されて緑色弱者の視認性を増加させる色弱補償映像を表示してもよい（Ｓ９６０）。
【０１４１】
一方、ディスプレイドライバ２５０は、フレームカウント（ＦＲＡＭＥ＿ＣＮＴ）を０に初期化して（Ｓ９７０）、上記した動作を繰り返すことによって、ディスプレイ装置２００は、色弱補償映像または原本映像に色弱補償映像が合成された映像を所定の周期で表示してもよい。
【０１４２】
それによって、ディスプレイドライバ２５０を含む表示装置２００およびモバイル装置１００においては、原本映像が表示されて、所定のフレーム（例えば、毎フレームまたは２以上のフレーム）ごとに少なくとも一つのフレームにおいて色弱補償映像または原本映像に色弱補償映像が表示されてもよい。
【０１４３】
図２６は、本発明の実施例による光治療映像を提供するディスプレイ装置の駆動方法を示す手順図であり、図２７乃至図２９は、図２６の駆動方法において実行される変調動作の例を説明するための図面である。
【０１４４】
図１、図２、および図２６乃至図２９を参照すると、ディスプレイドライバ２５０は、あるフレームに相応する原本映像に対応する第１映像データ（ＲＧＢ）を受信してもよい（Ｓ１０１０）。ディスプレイドライバ２５０は、受信されたフレーム数を示すフレームカウント（ＦＲＡＭＥ＿ＣＮＴ）を所望の周期に相応する所定の値と比較してもよい（Ｓ１０２０）。フレームカウント（ＦＲＡＭＥ＿ＣＮＴ）が前記所定の値と一致しない場合（Ｓ１０２０:ＮＯ）、ディスプレイドライバ２５０に含まれた映像処理部２６０は、受信された第１映像データ（ＲＧＢ）をそのまま出力して、ディスプレイドライバ２５０に含まれた駆動部２８０は第１映像データ（ＲＧＢ）に基づいてディスプレイパネル２３０を駆動して、ディスプレイパネル２３０は、第１映像データ（ＲＧＢ）に相応する原本映像を表示してもよい（Ｓ１０３０）。一方、ディスプレイドライバ２５０は、フレームカウント（ＦＲＡＭＥ＿ＣＮＴ）を１ほど増加させてもよい（Ｓ１０４０）。一方、ディスプレイドライバ２５０は、フレームカウント（ＦＲＡＭＥ＿ＣＮＴ）が前記所定の値と一致するときまで前記原本映像を表示してもよい。
【０１４５】
フレームカウント（ＦＲＡＭＥ＿ＣＮＴ）が前記所定の値と一致する場合（Ｓ１０２０:ＹＥＳ）、ディスプレイドライバ２５０に含まれた映像処理部２６０は第１映像データ（ＲＧＢ）に含まれた各ピクセルに対するＲサブピクセルデータ、ＧサブピクセルデータおよびＢサブピクセルデータの中の一つを調節して光治療映像に対する第２映像データ（ＢＩＯ_ＲＧＢ）を生成してもよい（Ｓ１０５０）。
【０１４６】
一実施例において、映像処理部２６０は、図２７に図示されたように、第１映像データ（ＲＧＢ）でＲサブピクセルデータを増加させて第２映像データ（ＢＩＯ_ＲＧＢ）を生成してもよい。例えば、映像処理部２６０は、原本Ｒサブピクセルデータ（ＯＲＤ）に（図２７の上段のMODULATION前）、光治療映像に対する映像データのＲサブピクセルデータ（ＢＲＤ）によって決定される所定の値（ｆ（ＢＲＤ））を例えば加算して増加させる変調動作を行ってもよい（図２７の下段のMODULATION後）。この場合、ディスプレイドライバ２５０に含まれた駆動部２８０は、前記Ｒサブピクセルデータが増加された第２映像データ（ＢＩＯ_ＲＧＢ）に基づいてディスプレイパネル２３０を駆動して、ディスプレイパネル２３０は、生体効果映像として前記原本映像で赤色輝度が増加された光治療映像を表示してもよい（Ｓ１０６０）。実施例によって、赤色輝度が増加された光治療映像は、抗炎治療映像、にきび治療映像またはシワ治療映像であってもよい。
【０１４７】
他の実施例において、映像処理部２６０は、図２８に図示されたように、第１映像データ（ＲＧＢ）でＧサブピクセルデータを増加させて第２映像データ（ＢＩＯ_ＲＧＢ）を生成してもよい。例えば、映像処理部２６０は、原本Ｇサブピクセルデータ（ＯＧＤ）に（図２８の上段のMODULATION前）、光治療映像に対する映像データのＧサブピクセルデータ（ＢＲＤ）によって決定される所定の値（ｆ（ＢＧＤ））を例えば加算して増加させる変調動作を行ってもよい（図２８の下段のMODULATION後）。この場合、ディスプレイドライバ２５０に含まれた駆動部２８０は、前記Ｇサブピクセルデータが増加された第２映像データ（ＢＩＯ_ＲＧＢ）に基づいてディスプレイパネル２３０を駆動して、ディスプレイパネル２３０は、生体効果映像として前記原本映像で緑色輝度が増加された光治療映像を表示してもよい（Ｓ１０６０）。実施例によって、緑色輝度が増加された光治療映像は美白治療映像であってもよい。
【０１４８】
また他の実施例において、映像処理部２６０は、図２９に図示されたように、第１映像データ（ＲＧＢ）でＢサブピクセルデータを増加させて第２映像データ（ＢＩＯ_ＲＧＢ）を生成してもよい。例えば、映像処理部２６０は、原本Ｂサブピクセルデータ（ＯＢＤ）に（図２９の上段のMODULATION前）、光治療映像に対する映像データのＢサブピクセルデータ（ＢＢＤ）によって決定される所定の値（ｆ（ＢＢＤ））を例えば加算して増加させる変調動作を行ってもよい（図２９の下段のMODULATION後）。この場合、ディスプレイドライバ２５０に含まれた駆動部２８０は、前記Ｂサブピクセルデータが増加された第２映像データ（ＢＩＯ_ＲＧＢ）に基づいてディスプレイパネル２３０を駆動して、ディスプレイパネル２３０は、生体効果映像として前記原本映像で青色輝度が増加された光治療映像を表示してもよい（Ｓ１０６０）。実施例によって、青色輝度が増加された光治療映像はうつ病治療映像または滅菌治療映像であってもよい。
【０１４９】
一方、ディスプレイドライバ２５０は、フレームカウント（ＦＲＡＭＥ＿ＣＮＴ）を０に初期化して（Ｓ１０７０）、上記した動作を繰り返すことによって、ディスプレイ装置２００は、前記光治療映像を所定の周期で表示してもよい。
【０１５０】
また、一実施例において、前記光治療映像が表示されるフレームの直前フレームまたは直後フレームにおいて、前記光治療映像で前記原本映像に比べて増加した輝度を補償するように補償映像が表示されてもよい。例えば、前記光治療映像に対する第２映像データ（ＲＧＢ_ＤＡＴＡ）が第１映像データ（ＲＧＢ）からＲサブピクセルデータが増加された映像データである場合、映像処理部２６０は、前記光治療映像が表示されるフレームの直前フレームまたは直後フレームにおいて、第１映像データ（ＲＧＢ）からＲサブピクセルデータが減少された第３映像データを生成して、駆動部２８０は、前記第３映像データに基づいてディスプレイパネル２３０を駆動してもよい。それによって、Ｒ輝度が増加された前記光治療映像が表示される直前または直後に、前記Ｒ輝度が減少された前記補償映像が表示されることによって、ユーザは、連続した前記光治療映像および前記補償映像によって前記原本映像を認知してもよい。それによって、ユーザの光治療映像に対する認知なしでユーザに光治療映像を表示できて、ユーザに不快感を誘発せずに光治療映像を提供してもよい。
【０１５１】
図３０は、本発明の実施例による生体効果映像提供機能を有する映像処理部を含むモバイル装置を示すブロック図である。
【０１５２】
図３０を参照すると、モバイル装置１１００は、アプリケーションプロセッサ１１１０、メモリ装置１１２０、通信プロセッサ１１６０、ディスプレイ装置１１５０および映像処理部１１８０を含む。アプリケーションプロセッサ１１１０は、ディスプレイ装置１１５０を制御するグラフィック処理部（Ｇｒａｐｈｉｃ  Ｐｒｏｃｅｓｓｉｎｇ  Ｕｎｉｔ;ＧＰＵ）１１１５を含んでもよい。一方、図３０のモバイル装置１１００は、映像処理部１２３０がディスプレイドライバと別途の装置、集積回路またはチップで具現されたことの他に、図１のモバイル装置１００と同様の構成を有してもよい。
【０１５３】
映像処理部１２３０は、アプリケーションプロセッサ１１１０とディスプレイ装置１１５０の間に別途の装置、集積回路またはチップで具現されてもよい。映像処理部１１８０は、グラフィック処理部１１１５から原本映像に対する第１映像データ（ＲＧＢ）を受信して、第１フレームにおいてディスプレイ装置１１５０に第１映像データ（ＲＧＢ）を提供して、第２フレームにおいてディスプレイ装置１１５０に第１映像データ（ＲＧＢ）に代って生体効果映像に対する第２映像データ（ＢＩＯ_ＲＧＢ）を提供してもよい。ディスプレイ装置１１５０は、前記第１フレームにおいて前記原本映像に対する第１映像データ（ＲＧＢ）を受信して第１映像データ（ＲＧＢ）に基づいて前記原本映像を表示して、前記第２フレームにおいて前記生体効果映像に対する第２映像データ（ＢＩＯ_ＲＧＢ）を受信して第２映像データ（ＢＩＯ_ＲＧＢ）に基づいて前記生体効果映像を表示してもよい。実施例によって、前記生体効果映像は、行動誘導映像、生体リズム制御映像、色弱補償映像または光治療映像や、前記原本映像に行動誘導映像、生体リズム制御映像、色弱補償映像または光治療映像の少なくとも１つが合成された映像であってもよい。
【０１５４】
図３１は、本発明の実施例による生体効果映像提供機能を有するグラフィック処理部を含むモバイル装置を示すブロック図である。
【０１５５】
図３１を参照すると、モバイル装置１２００は、アプリケーションプロセッサ１２１０、メモリ装置１２６０、通信プロセッサ１２７０およびディスプレイ装置１２５０を含む。アプリケーションプロセッサ１２１０は、ディスプレイ装置１２５０を制御するグラフィック処理部（Ｇｒａｐｈｉｃ  Ｐｒｏｃｅｓｓｉｎｇ  Ｕｎｉｔ；ＧＰＵ）１２２０を含んでもよく、グラフィック処理部１２２０は、映像処理部１２３０を含んでもよい。一方、図３１のモバイル装置１２００は、映像処理部１２３０がアプリケーションプロセッサ１２１０のグラフィック処理部１２２０内に具現されたことの他に、図１のモバイル装置１００と同様の構成を有してもよい。
【０１５６】
映像処理部１２３０は、第１フレームにおいてディスプレイ装置１２５０に原本映像に対する第１映像データ（ＲＧＢ）を提供して、第２フレームにおいてディスプレイ装置１２５０に第１映像データ（ＲＧＢ）に代って生体効果映像に対する第２映像データ（ＢＩＯ_ＲＧＢ）を提供してもよい。一実施例において、グラフィック処理部１２２０は、前記生体効果映像に対する第２映像データ（ＢＩＯ_ＲＧＢ）を保存するメモリ部をさらに含み、映像処理部１２３０は、前記第１フレームにおいてディスプレイ装置１２５０に第１映像データ（ＲＧＢ）を提供して、前記第２フレームにおいてディスプレイ装置１２５０に第１映像データ（ＲＧＢ）に代って前記メモリ部に保存された第２映像データ（ＢＩＯ_ＲＧＢ）を提供してもよい。他の実施例において、映像処理部１２３０は、前記第１フレームにおいてディスプレイ装置１２５０に第１映像データ（ＲＧＢ）を提供して、前記第２フレームにおいて第１映像データ（ＲＧＢ）を変調して第２映像データ（ＢＩＯ_ＲＧＢ）を生成してディスプレイ装置１２５０に第２映像データ（ＢＩＯ_ＲＧＢ）を提供してもよい。
【０１５７】
ディスプレイ装置１２５０は、前記第１フレームにおいて前記原本映像に対する第１映像データ（ＲＧＢ）を受信して第１映像データ（ＲＧＢ）に基づいて前記原本映像を表示して、前記第２フレームにおいて前記生体効果映像に対する第２映像データ（ＢＩＯ_ＲＧＢ）を受信して第２映像データ（ＢＩＯ_ＲＧＢ）に基づいて前記生体効果映像を表示してもよい。実施例によって、前記生体効果映像は、行動誘導映像、生体リズム制御映像、色弱補償映像または光治療映像や、前記原本映像に行動誘導映像、生体リズム制御映像、色弱補償映像または光治療映像の少なくとも１つが合成された映像であってもよい。
【０１５８】
図３２は、本発明の実施例による映像処理コードを実行して生体効果映像提供機能を行うアプリケーションプロセッサを含むモバイル装置を示すブロック図である。
【０１５９】
図３２を参照すると、モバイル装置１３００は、アプリケーションプロセッサ１３１０、メモリ装置１３２０、通信プロセッサ１３６０およびディスプレイ装置１３５０を含む。アプリケーションプロセッサ１３１０は、ディスプレイ装置１３５０を制御するグラフィック処理部（Ｇｒａｐｈｉｃ  Ｐｒｏｃｅｓｓｉｎｇ  Ｕｎｉｔ；ＧＰＵ）１３１５を含んでもよい。メモリ装置１３２０には映像処理コード１３３０が保存されてもよい。一方、図３２のモバイル装置１３００は、生体効果映像提供機能がメモリ装置１３２０に保存された映像処理コード１３３０に基づいて実行されることの他に、図１のモバイル装置１００と同様の構成を有してもよい。
【０１６０】
メモリ装置１３２０には生体効果映像提供機能のための映像処理コード１３３０が保存されてもよく、アプリケーションプロセッサ１３１０は、映像処理コード１３３０を実行することによって、ディスプレイ装置１３５０に原本映像に対する第１映像データ（ＲＧＢ）または生体効果映像に対する第２映像データ（ＢＩＯ_ＲＧＢ）を提供してもよい。一実施例において、メモリ装置１３２０には前記生体効果映像に対する第２映像データ（ＢＩＯ_ＲＧＢ）がさらに保存されてもよく、映像処理コード１３３０は、アプリケーションプロセッサ１３１０によって実行されて、前記第２フレームにおいて、ディスプレイ装置１３５０に第１映像データ（ＲＧＢ）に代ってメモリ装置１３２０に保存された第２映像データ（ＢＩＯ_ＲＧＢ）を提供してもよい。他の実施例において、映像処理コード１３３０は、アプリケーションプロセッサ１３１０によって実行されて、前記第２フレームにおいて第１映像データ（ＲＧＢ）を変調して第２映像データ（ＢＩＯ_ＲＧＢ）を生成してディスプレイ装置１３５０に前記第２映像データを提供してもよい。実施例によって、映像処理コード１３３０は、オペレーティングシステム（Ｏｐｅｒａｔｉｎｇ  Ｓｙｓｔｅｍ;ＯＳ）に含まれたプログラムコードであるか、別途の実行プログラムで具現されてもよい。
【０１６１】
ディスプレイ装置１３５０は、前記第１フレームにおいて前記原本映像に対する第１映像データ（ＲＧＢ）を受信して、第１映像データ（ＲＧＢ）に基づいて前記原本映像を表示して、前記第２フレームにおいて前記生体効果映像に対する第２映像データ（ＢＩＯ_ＲＧＢ）を受信して、第２映像データ（ＢＩＯ_ＲＧＢ）に基づいて前記生体効果映像を表示してもよい。
【０１６２】
一方、図３２には映像処理コード１３３０がモバイル装置１３００のメインメモリであるメモリ装置１３２０に保存された例が図示されているが、実施例によって、映像処理コード１３３０は、ディスプレイ装置１３５０に含まれたディスプレイパネル上に形成された内部メモリに保存されてもよい。例えば、ディスプレイ装置１３５０は、ディスプレイパネル、および前記ディスプレイパネル上に形成されて、前記生体効果映像に対する第２映像データ（ＢＩＯ_ＲＧＢ）および映像処理コード１３３０を保存する内部メモリを含んでもよい。ディスプレイ装置１３３０の前記内部メモリに保存された映像処理コード１３３０は、アプリケーションプロセッサ１３１０または他のプロセッサによって実行されて、前記第１フレームにおいて前記ディスプレイパネルに第１映像データ（ＲＧＢ）を提供して、前記第２フレームにおいて前記ディスプレイパネルに第１映像データ（ＲＧＢ）に代って前記内部メモリに保存された第２映像データ（ＢＩＯ_ＲＧＢ）を提供してもよい。
【０１６３】
図３３は、本発明の実施例による生体効果映像提供機能を有するディスプレイドライバを含むコンピューティング装置を示すブロック図である。
【０１６４】
図３３を参照すると、コンピューティング装置１４００は、中央処理部（Ｃｅｎｔｒａｌ  Ｐｒｏｃｅｓｓｉｎｇ  Ｕｎｉｔ；ＣＰＵ）１４１０、入出力（Ｉ／Ｏ）ハブ１４２０、入出力（Ｉ／Ｏ）コントローラハブ１４３０、少なくとも一つのメモリ装置１４４０、グラフィックカード１４５０、ディスプレイ装置１４６０及びディスプレイパネル１４７０を含む。実施例によって、コンピューティング装置１４００は、パーソナルコンピュータ（Ｐｅｒｓｏｎａｌ  Ｃｏｍｐｕｔｅｒ；ＰＣ）、ノートブック（Ｌａｐｔｏｐ  Ｃｏｍｐｕｔｅｒ）、サーバコンピュータ（Ｓｅｒｖｅｒ  Ｃｏｍｐｕｔｅｒ）、ワークステーション（Ｗｏｒｋｓｔａｔｉｏｎ）、デジタルＴＶ（Ｄｉｇｉｔａｌ  Ｔｅｌｅｖｉｓｉｏｎ）、セット−トップボックス（Ｓｅｔ−Ｔｏｐ  Ｂｏｘ）等のような任意のコンピューティング装置であってもよい。一方、図３３のコンピューティング装置１４００は、図１のモバイル装置１００と同様に、ディスプレイ装置１４６０のディスプレイドライバ１４８０内に映像処理部１４９０が具現されてもよい。
【０１６５】
中央処理部１４１０は、コンピューティング装置１４００の動作を制御してもよい。例えば、中央処理部１４１０は、特定計算またはタスクを実行することによってコンピューティング装置１４００の動作を制御してもよい。実施例によって、中央処理部１４１０は、一つのプロセッサコアを含んだり、複数のプロセッサコアを含んでもよく、例えば、中央処理部１４１０は、デュアルコア（Ｄｕａｌ−Ｃｏｒｅ）、クアッドコア（Ｑｕａｄ−Ｃｏｒｅ）、ヘクサコア（Ｈｅｘａ−Ｃｏｒｅ）等のマルチコア（Ｍｕｌｔｉ−Ｃｏｒｅ）を含んでもよく、また、図３３には中央処理部１４１０を含むコンピューティング装置１４００が図示されているが、実施例によって、コンピューティング装置１４００は複数の中央処理部を含んでもよい。
【０１６６】
中央処理部１４１０は、メモリ装置１４４０の動作を制御するメモリコントローラを含んでもよく、メモリ装置１４４０は、中央処理部１４１０に連結されて、コンピューティング装置１４００のメインメモリ（Ｍａｉｎ  ｍｅｍｏｒｙ）として動作してもよい。中央処理部１４１０に含まれたメモリコントローラは集積メモリコントローラ（Ｉｎｔｅｇｒａｔｅｄ  ｍｅｍｏｒｙ  Ｃｏｎｔｒｏｌｌｅｒ；ＩＭＣ）と呼ばれてもよい。実施例によって、メモリコントローラは、入出力ハブ１４２０内に位置してもよい。前記メモリコントローラを含む入出力ハブ１４２０は、メモリコントローラハブ（ｍｅｍｏｒｙ  Ｃｏｎｔｒｏｌｌｅｒ  Ｈｕｂ；ＭＣＨ）と呼ばれてもよい。
【０１６７】
入出力ハブ１４２０は、グラフィックカード１４５０のような装置と中央処理部１４１０の間のデータ伝送を管理してもよい。入出力ハブ１４２０は、多様な方式のインターフェースを通じて中央処理部１４１０に連結されてもよい。例えば、入出力ハブ１４２０と中央処理部１４１０は、フロントサイドバス（Ｆｒｏｎｔ  Ｓｉｄｅ  Ｂｕｓ；ＦＳＢ）、システムバス（Ｓｙｓｔｅｍ  Ｂｕｓ）、ハイパートランスポート（ＨｙｐｅｒＴｒａｎｓｐｏｒｔ）、ライトニングデータトランスポート（Ｌｉｇｈｔｎｉｎｇ  Ｄａｔａ  Ｔｒａｎｓｐｏｒｔ；ＬＤＴ）、クイックパスインターコネクト（ＱｕｉｃｋＰａｔｈ  Ｉｎｔｅｒｃｏｎｎｅｃｔ；ＱＰＩ）、共通システムインターフェース（Ｃｏｍｍｏｎ  Ｓｙｓｔｅｍ  Ｉｎｔｅｒｆａｃｅ；ＣＳＩ）等の多様な標準のインターフェースに連結されてもよい。図３３には一つの入出力ハブ１４２０を含むコンピューティング装置１４００が図示されているが、実施例によって、コンピューティング装置１４００は、複数の入出力ハブを含んでもよい。入出力ハブ１４２０は、装置との多様なインターフェースを提供してもよい。例えば、入出力ハブ１４２０は、加速グラフィックポート（Ａｃｃｅｌｅｒａｔｅｄ  Ｇｒａｐｈｉｃｓ  Ｐｏｒｔ；ＡＧＰ）インターフェース、周辺構成要素インターフェース−エクスプレス（Ｐｅｒｉｐｈｅｒａｌ  Ｃｏｍｐｏｎｅｎｔ  Ｉｎｔｅｒｆａｃｅ−Ｅｘｐｒｅｓｓ；ＰＣＩｅ）、通信ストリーミング構造（Ｃｏｍｍｕｎｉｃａｔｉｏｎｓ  Ｓｔｒｅａｍｉｎｇ  Ａｒｃｈｉｔｅｃｔｕｒｅ；ＣＳＡ）インターフェースなどを提供してもよい。
【０１６８】
入出力コントローラハブ１４３０は、多様なシステムインターフェースが効率的に動作するようにデータバッファリングおよびインターフェース仲裁を行ってもよい。入出力コントローラハブ１４３０は、内部バスを通じて入出力ハブ１４２０と連結されてもよい。例えば、入出力ハブ１４２０と入出力コントローラハブ１４３０は、ダイレクトメディアインターフェース（Ｄｉｒｅｃｔ  Ｍｅｄｉａ  Ｉｎｔｅｒｆａｃｅ；ＤＭＩ）、ハブインターフェース、エンタープライズサウスブリッジインターフェース（Ｅｎｔｅｒｐｒｉｓｅ  Ｓｏｕｔｈｂｒｉｄｇｅ  Ｉｎｔｅｒｆａｃｅ；ＥＳＩ）、ＰＣＩｅ等を通して連結されてもよい。入出力コントローラハブ１４３０は、周辺装置との多様なインターフェースを提供してもよい。例えば、入出力コントローラハブ１４３０は、汎用直列バス（Ｕｎｉｖｅｒｓａｌ  Ｓｅｒｉａｌ  Ｂｕｓ；ＵＳＢ）ポート、直列ＡＴＡ（Ｓｅｒｉａｌ  Ａｄｖａｎｃｅｄ  Ｔｅｃｈｎｏｌｏｇｙ  Ａｔｔａｃｈｍｅｎｔ；ＳＡＴＡ）ポート、汎用入出力（Ｇｅｎｅｒａｌ  Ｐｕｒｐｏｓｅ  Ｉｎｐｕｔ／Ｏｕｔｐｕｔ；ＧＰＩＯ）、ロウピンカウント（Ｌｏｗ  Ｐｉｎ  Ｃｏｕｎｔ；ＬＰＣ）バス、直列周辺インターフェース（Ｓｅｒｉａｌ  Ｐｅｒｉｐｈｅｒａｌ  Ｉｎｔｅｒｆａｃｅ；ＳＰＩ）、ＰＣＩ、ＰＣＩｅなどを提供してもよい。
【０１６９】
実施例によって、中央処理部１４１０、入出力ハブ１４２０および入出力コントローラハブ１４３０は、それぞれ分離したチップセットまたは集積回路で具現されたり、中央処理部１４１０、入出力ハブ１４２０または入出力コントローラハブ１４３０のうち、２以上の構成要素が一つのチップセットで具現されてもよい。
【０１７０】
グラフィックカード１４５０は、ＡＧＰまたはＰＣＩｅを通じて入出力ハブ１４２０と連結されてもよい。グラフィックカード１４５０は、映像を表示するためのディスプレイ装置１４６０を制御してもよい。グラフィックカード１４５０は、イメージデータ処理のための内部プロセッサおよびメモリを含んでもよい。実施例によって、入出力ハブ１４２０は、入出力ハブ１４２０の外部に位置したグラフィックカード１４５０とともに、またはグラフィックカード１４５０の代わりに入出力ハブ１４２０の内部にグラフィック装置を含んでもよい。入出力ハブ１４２０に含まれたグラフィック装置は、集積グラフィック（Ｉｎｔｅｇｒａｔｅｄ  Ｇｒａｐｈｉｃｓ）と呼ばれてもよい。また、メモリコントローラおよびグラフィック装置を含む入出力ハブ１４２０は、グラフィックおよびメモリコントローラハブ（Ｇｒａｐｈｉｃｓ  ａｎｄ  ｍｅｍｏｒｙ  Ｃｏｎｔｒｏｌｌｅｒ  Ｈｕｂ；ＧＭＣＨ）と呼ばれてもよい。
【０１７１】
ディスプレイ装置１４６０は、映像を表示するディスプレイパネル１４７０、およびディスプレイパネル１４７０を駆動するディスプレイドライバ１４８０を含む。実施例によって、ディスプレイパネル１４７０は、有機発光表示パネル（Ｏｒｇａｎｉｃ  Ｌｉｇｈｔ  Ｅｍｉｔｔｉｎｇ  Ｄｉｓｐｌａｙ  （ＯＬＥＤ）  Ｐａｎｅｌ）、液晶表示パネル（Ｌｉｑｕｉｄ  Ｃｒｙｓｔａｌ  Ｄｉｓｐｌａｙ  （ＬＣＤ）Ｐａｎｅｌ）、プラズマデスプレイパネル（Ｐｌａｓｍａ  Ｄｉｓｐｌａｙ  Ｐａｎｅｌ  （ＰＤＰ））等の任意のディスプレイパネルであってもよい。ディスプレイドライバ１４８０は、グラフィックカード１４５０から原本映像に対する第１映像データ（ＲＧＢ）を受信して、第１フレームにおいて前記原本映像が表示されるように第１映像データ（ＲＧＢ）に基づいてディスプレイパネル１４７０を駆動してもよい。また、ディスプレイドライバ１４８０は、第２フレームにおいて生体効果映像が表示されるように第１映像データ（ＲＧＢ）に代って生体効果映像に対する第２映像データ（ＢＩＯ_ＲＧＢ）に基づいてディスプレイパネル１４７０を駆動してもよい。実施例によって、前記生体効果映像は、行動誘導映像、生体リズム制御映像、色弱補償映像または光治療映像や、前記原本映像に行動誘導映像、生体リズム制御映像、色弱補償映像または光治療映像の少なくとも一つが合成された映像であってもよい。
【０１７２】
図３４は、本発明の実施例による生体効果映像提供機能を有するグラフィックカードを含むコンピューティング装置を示すブロック図である。
【０１７３】
図３４を参照すると、コンピューティング装置１５００は、中央処理部（Ｃｅｎｔｒａｌ  Ｐｒｏｃｅｓｓｉｎｇ  Ｕｎｉｔ；ＣＰＵ）１５１０、入出力ハブ１５２０、入出力コントローラハブ１５３０、少なくとも一つのメモリ装置１５４０、グラフィックカード１５５０およびディスプレイ装置１５８０を含む。グラフィックカード１５５０は、映像処理部１５６０を含んでもよい。一方、図３４のコンピューティング装置１５００は、映像処理部１５６０がグラフィックカード１５５０内に具現されたことの他に、図３３のコンピューティング装置１４００と同様の構成を有してもよい。
【０１７４】
グラフィックカード１５５０は、入出力ハブ１５２０を通じて中央処理部１５１０とディスプレイ装置１５８０の間に連結されて、ディスプレイ装置１５８０を制御してもよい。映像処理部１５６０を含むグラフィックカード１５５０は、ディスプレイ装置１５８０に原本映像に対する第１映像データ（ＲＧＢ）または生体効果映像に対する第２映像データ（ＢＩＯ_ＲＧＢ）を選択的に提供することによって、ディスプレイ装置１５８０が原本映像または生体効果映像を表示するようにしてもよい。一実施例において、グラフィックカード１５５０は、前記生体効果映像に対する第２映像データ（ＢＩＯ_ＲＧＢ）を保存するメモリ部をさらに含んでもよく、映像処理部１５６０は、第１フレームにおいてディスプレイ装置１５８０に第１映像データ（ＲＧＢ）を提供して、第２フレームにおいてディスプレイ装置１５８０に第１映像データ（ＲＧＢ）に代って前記メモリ部に保存された第２映像データ（ＢＩＯ_ＲＧＢ）を提供してもよい。他の実施例において、映像処理部１５６０は、第１フレームにおいてディスプレイ装置１５８０に第１映像データ（ＲＧＢ）を提供して、第２フレームにおいて第１映像データ（ＲＧＢ）を変調して第２映像データ（ＢＩＯ_ＲＧＢ）を生成してディスプレイ装置１５８０に第２映像データ（ＢＩＯ_ＲＧＢ）を提供してもよい。実施例によって、前記生体効果映像は、行動誘導映像、生体リズム制御映像、色弱補償映像または光治療映像や、前記原本映像に行動誘導映像、生体リズム制御映像、色弱補償映像または光治療映像の少なくとも一つが合成された映像であってもよい。
【０１７５】
図３５は、本発明の実施例による映像処理コードを実行して生体効果映像提供機能を行う中央処理部を含むコンピューティング装置を示すブロック図である。
【０１７６】
図３５を参照すると、コンピューティング装置１６００は、中央処理部（Ｃｅｎｔｒａｌ  Ｐｒｏｃｅｓｓｉｎｇ  Ｕｎｉｔ；ＣＰＵ）１６１０、入出力ハブ１６２０、入出力コントローラハブ１６３０、少なくとも一つのメモリ装置１６４０、グラフィックカード１６８０およびディスプレイ装置１６８０を含む。メモリ装置１６４０には映像処理コード１６５０が保存されてもよい。一方、図３５のコンピューティング装置１６００は、生体効果映像提供機能がメモリ装置１６４０に保存された映像処理コード１６５０に基づいて実行されることの他に、図３３のコンピューティング装置１４００と同様の構成を有してもよい。
【０１７７】
メモリ装置１６４０には生体効果映像提供機能のための映像処理コード１６５０が保存されてもよく、中央処理部１６１０は、映像処理コード１６５０を実行することによってディスプレイ装置１６８０に原本映像に対する第１映像データ（ＲＧＢ）または生体効果映像に対する第２映像データ（ＢＩＯ_ＲＧＢ）を提供してもよい。一実施例において、メモリ装置１６４０には前記生体効果映像に対する第２映像データ（ＢＩＯ_ＲＧＢ）がさらに保存されてもよく、映像処理コード１６５０は、中央処理部１６１０によって実行されて、所定のフレームにおいて、ディスプレイ装置１６８０に第１映像データ（ＲＧＢ）に代ってメモリ装置１６４０に保存された第２映像データ（ＢＩＯ_ＲＧＢ）を提供してもよい。他の実施例において、映像処理コード１６５０は、中央処理部１６１０によって実行されて、所定のフレームにおいて第１映像データ（ＲＧＢ）を変調して第２映像データ（ＢＩＯ_ＲＧＢ）を生成してディスプレイ装置１６８０に前記第２映像データを提供してもよい。実施例によって、映像処理コード１６５０は、運営体制（Ｏｐｅｒａｔｉｎｇ  Ｓｙｓｔｅｍ；ＯＳ）に含まれたプログラムコードであるか、別途の実行プログラムで具現されてもよい。
【０１７８】
一方、図３５には映像処理コード１６５０がコンピューティング装置１６００のメインメモリであるメモリ装置１６４０に保存された例が図示されているが、実施例によって、映像処理コード１６５０は、ディスプレイ装置１６８０に含まれたディスプレイパネル上に形成された内部メモリに保存されてもよい。
【０１７９】
図３６は、本発明の実施例によるセンサを含む電子機器を示すブロック図であり、図３７乃至図３９は、センサの位置の例を説明するための図面である。
【０１８０】
図３６を参照すると、電子機器２２００は、プロセッサ２２１０、メモリ装置２２２０およびディスプレイ装置２２３０を含んでもよい。電子機器２２００は、モバイル装置やコンピューティング装置であってもよい。ディスプレイ装置２２３０は、ディスプレイパネル２２４０、ディスプレイドライバ（ＤＤＩ）２２５０、およびセンサ２２６０を含んでもよい。一方、ディスプレイ装置２２３０は、図１乃至図３５に図示されたディスプレイ装置２００、ディスプレイ装置１２５０、ディスプレイ装置１３５０、ディスプレイ装置１４６０、ディスプレイ装置１５８０、ディスプレイ装置１６８０に比べて、センサ２２６０をさらに含んでもよい。
【０１８１】
センサ２２６０は、光（ｌｉｇｈｔ）を感知するセンサであってもよい。一実施例において、センサ２２６０は、周辺光（ａｍｂｉｅｎｔ  ｌｉｇｈｔ）を測定してもよい。例えば、センサ２２６０は、入射光または周辺光の色度を測定する光センサ（ｐｈｏｔｏ  ｓｅｎｓｏｒ）であってもよい。ディスプレイ装置２２３０は、前記光センサによって測定された前記周辺光の色度によって生体リズム制御映像を提供してもよい。例えば、前記周辺光（または照明）の色度が黄色（ｙｅｌｌｏｗ）に近い場合、ディスプレイドライバ２２５０は、原本映像に対する映像データでＢサブピクセルデータを減少させてＢ輝度が減少された生体リズム制御映像を生成してもよい。このように、Ｂ輝度が減少された生体リズム制御映像は、ユーザのメラトニン分泌抑制を防止することができる。一方、前記周辺光（または照明）の色度が黄色（ｙｅｌｌｏｗ）に近い場合、ディスプレイ装置２２３０で表示される映像のＢ輝度が減少されても、ユーザは、それを認知できないこともある。他の実施例において、センサ２２６０は、ユーザの瞬きを感知してもよい。例えば、センサ２２６０は、ユーザを撮影するイメージセンサ（ｉｍａｇｅ  ｓｅｎｓｏｒ）であってもよい。ディスプレイ装置２２３０は、前記イメージセンサによって感知された前記ユーザの瞬きに基づいてユーザの瞬きを誘導する行動誘導映像を提供してもよい。また他の実施例において、センサ２２６０は、入射される赤外線を感知してもよい。ディスプレイ装置２２３０は、前記赤外線に応答して生体効果モードを開始または終了してもよい。
【０１８２】
実施例によって、センサ２２６０は、ディスプレイパネル２２４０のアクティブ領域または周辺領域に形成されてもよい。一実施例において、図３７に図示されたように、センサ２２６０ａは、ディスプレイパネル２２４０ａのアクティブ領域２２７０ａの周辺領域２２８０ａに形成されてもよい。他の実施例において、図３８に図示されたように、センサ２２６０ｂは、ディスプレイパネルのアクティブ領域内に形成されてもよい。例えば、センサ２２６０は、サブピクセルまたはピクセルの間の領域に配置されてもよい。また他の実施例において、図３９に図示されたように、センサ２２６０ｃは、ディスプレイパネル２２４０ｃに連結された印刷回路基板２２９０ｃ上に形成されてもよい。
【０１８３】
図４０は、本発明の実施例によるセンサを含む電子機器を示すブロック図である。
【０１８４】
図４０を参照すると、電子機器２３００は、プロセッサ２３１０、メモリ装置２３２０、ディスプレイ装置２３３０およびセンサ２３４０を含んでもよい。電子機器２３００は、モバイル装置やコンピューティング装置であってもよい。図４０の電子機器２３００は、センサ２３４０がディスプレイ装置２２３０の外部に配置されたことの他に、図３４の電子機器２２００と同様の構成を有してもよい。
【０１８５】
図４１は、本発明の実施例によるセンサを用いて生体リズム制御映像を提供するディスプレイ装置の駆動方法を説明するための図面である。
【０１８６】
図４１を参照すると、電子機器はセンサを用いて周辺光または入射光の色もまたは色座標を測定してもよい（Ｓ２４１０）。前記センサによって測定された光の色度が黄色を示さない場合（Ｓ２４３０:ＮＯ）、ディスプレイ装置は、原本映像を表示してもよい（Ｓ２４５０）。
【０１８７】
一方、前記センサによって測定された光の色度が黄色を示す場合（Ｓ２４３０:ＹＥＳ）、ディスプレイ装置は、前記原本映像で青色輝度が減少された生体リズム制御映像を表示してもよい（Ｓ２４７０）。一方、このように青色輝度が減少された生体リズム制御映像は、ユーザのメラトニン分泌の抑制を防止することができる。また、前記周辺光（または照明）の色度が黄色（ｙｅｌｌｏｗ）に近い場合、ディスプレイ装置で表示される映像の青色輝度が減少されても、ユーザはそれを認知できないこともある。それによって、ユーザに不快感を誘発せずにメラトニン分泌の抑制を防止できる生体リズム制御映像を提供してもよい。
【０１８８】
図４２は、本発明の実施例によるセンサを用いて瞬き誘導映像を提供するディスプレイ装置の駆動方法を説明するための図面である。
【０１８９】
図４２を参照すると、電子機器はセンサを用いてユーザの瞬きを感知してもよい（Ｓ２５１０）。実施例によって、前記センサは、ユーザを撮影するＣＭＯＳイメージセンサ（ｉｍａｇｅ  ｓｅｎｓｏｒ）またはＣＣＤイメージセンサであってもよい。
【０１９０】
電子機器は、ユーザが継続して瞬きをしない時間が所定の基準時間より短い場合（Ｓ２５２０:ＮＯ）、原本映像を表示してもよい（Ｓ２５３０）。一方、ユーザが継続して瞬きをしない時間が所定の基準時間より長い場合（Ｓ２５２０:ＹＥＳ）、電子機器は、瞬きを誘導する行動誘導映像または原本映像と前記の行動誘導映像が合成された映像を表示してもよい（Ｓ２５５０）。それによって、ユーザの眼球乾燥症が予防されることができる。
【０１９１】
図４３は、本発明の実施例によるセンサを用いて生体効果モードを制御するディスプレイ装置の駆動方法を説明するための図面である。
【０１９２】
図４３を参照すると、電子機器はセンサを用いて赤外線を感知してもよい（Ｓ２６１０）。実施例によって、前記センサは、赤外線（Ｉｎｆｒａｒｅｄ  ｌｉｇｈｔ；ＩＲ）センサであってもよい。
【０１９３】
電子機器は、前記センサによって感知された赤外線に応答して生体効果モードを開始または終了してもよい（Ｓ２６３０）。また、実施例によって、前記電子機器は、前記センサによって感知された赤外線に応答して生体効果映像の周期、生体効果映像の種類などをさらに調節してもよい。
【０１９４】
図４４は、本発明の実施例によるシャッターグラスを用いてユーザに生体効果映像（BIO EFFECT IMAGE）または原本映像（ORIGINAL IMAGE）を選択的に提供する電子機器を示す図面であり、図４５は、本発明の実施例によるシャッターグラスを用いてユーザに生体効果映像または原本映像を選択的に提供するディスプレイ装置の駆動方法を説明するための図面であり、図４６は、図４５の駆動方法によって表示される映像フレームの一例を示す図面であり、図４７は、図４５の駆動方法によって第１ユーザに表示される映像フレームの一例を示す図面であり、図４８は、図４５の駆動方法によって第２ユーザに表示される映像フレームの一例を示す図面であり、図４９は、図４５の駆動方法によって表示される生体効果映像および補償映像の一例を説明するための図面である。
【０１９５】
図４４および図４５を参照すると、電子機器１７００に含まれたディスプレイ装置１７２０は、あるフレームに相応する映像データを受信してもよい（Ｓ１８１０）。一方、電子機器１７００は、モバイル装置や、コンピューティング装置であってもよい。
【０１９６】
現在のフレームが奇数番目フレームである場合（Ｓ１８２０:ＯＤＤ）、電子機器１７００は、原本映像を変調して生体効果映像を生成してもよい（Ｓ１８３０）。実施例によって、前記生体効果映像は、行動誘導映像、生体リズム制御映像、色弱補償映像または光治療映像や、前記原本映像と行動誘導映像、生体リズム制御映像、色弱補償映像または光治療映像の少なくとも一つが合成された映像であってもよい。
【０１９７】
一実施例において、図４６に図示されたように、電子機器１７００は、原本映像（ORIGINAL IMAGE）１９１０に所定の映像（PREDETERMINED IMAGE）１９２０（例えば、行動誘導映像、生体リズム制御映像、色弱補償映像または光治療映像）を合成して生体効果映像（BIO EFFECT IMAGE）１９３０を生成してもよい。他の実施例において、電子機器１７００は、前記原本映像のＲ輝度、Ｇ輝度およびＢ輝度のうち、少なくとも一つを調節して前記生体効果映像を生成してもよい。実施例によって、前記生体効果映像は、ディスプレイ装置１７２０のディスプレイドライバによって生成されたり、グラフィック処理部またはグラフィックカードによって生成されたり、所定のコードを実行するプロセッサによって生成されてもよい。
【０１９８】
電子機器１７００は、シャッターグラス１７５０がオープンされるように有無線の通信を通じてシャッターグラス１７５０に制御信号を提供してもよい（Ｓ１８４０）。また、ディスプレイ装置１７２０は、原本映像１９１０と所定の映像１９２０が合成された生体効果映像１９３０を表示してもよい（Ｓ１８５０）。それによって、前記奇数番目フレームにおいて、生体効果映像１９３０がシャッターグラス１７５０を着用した第１ユーザ１７４０およびシャッターグラスがない第２ユーザ１７６０に提供されてもよい。
【０１９９】
現在のフレームが偶数番目フレームである場合（Ｓ１８２０:ＥＶＥＮ）、電子機器１７００は、原本映像を変調して補償映像を生成してもよい（Ｓ１８６０）。実施例によって、前記補償映像はディスプレイ装置１７２０のディスプレイドライバによって生成されたり、グラフィック処理部またはグラフィックカードによって生成されたり、所定のコードを実行するプロセッサによって生成されてもよい。
【０２００】
一実施例において、電子機器１７００は、図４６に図示されたように、原本映像（ORIGINAL IMAGE）１９１０に、所定の映像（PREDETERMINED IMAGE）１９２０に対し相補的な相補映像（COMPLEMENTARY IMAGE）１９４０を合成して補償映像（COMPENSATING IMAGE）１９５０を生成してもよい。他の実施例において、電子機器１７００は、前記原本映像のＲ輝度、Ｇ輝度およびＢ輝度のうち、少なくとも一つを前記生体効果映像と反対に調節して前記補償映像を生成してもよい。
【０２０１】
例えば、図４９に図示されたように、前記奇数番目フレーム（ODD FRAME）においての生体効果映像（BIO EFFECT IMAGE）１９３０は、例えば、色弱補償、抗炎治療、にきび治療、シワ治療などのために、原本映像（ORIGINAL IMAGE）１９１０に対する第１映像データでＲサブピクセルデータが増加して生成された映像であってもよい。この場合、前記偶数番目フレーム（EVEN FRAME）においての補償映像（COMPENSATING IMAGE）１９５０は、生体効果映像１９３０での前記Ｒサブピクセルデータの増加を補償するように、原本映像１９１０に対する第１映像データでＲサブピクセルデータが減少して生成された映像であってもよい。すなわち、補償映像１９５０が、生体効果映像１９３０において増加または減少したデータを逆に減少または増加させて生成されることによって、生体効果映像１９３０および補償映像１９５０が交互に提供される場合、ユーザは連続した生体効果映像１９３０および補償映像１９５０を原本映像１９１０で認知してもよい。
【０２０２】
電子機器１７００は、シャッターグラス１７５０がクローズされるように有無線の通信を通じてシャッターグラス１７５０に制御信号を提供してもよい（Ｓ１８７０）。また、ディスプレイ装置１７２０は、原本映像１９１０と相補映像１９４０が合成された補償映像１９５０を表示してもよい（Ｓ１８８０）。それによって、前記偶数番目フレームにおいて、補償映像１９５０がシャッターグラスがない第２ユーザ１７６０にだけ提供されてもよい。
【０２０３】
それによって、図４７に図示されたように、シャッターグラス１７５０を着用した第１ユーザ（USER 1）１７４０は、前記奇数番目フレーム（ODD FRAME）において生体効果映像（BIO EFFECT IMAGE）１９３０を提供されて、前記偶数番目フレーム（EVEN FRAME）において映像を提供されないことがある。例えば、生体効果映像１９３０は、色弱補償映像または原本映像に前記色弱補償映像が合成された映像であることもあって、色弱者である第１ユーザ１７４０は、シャッターグラス１７５０を着用して生体効果映像１９３０の前記色弱補償映像だけを提供されてもよい。
【０２０４】
一方、図４８に図示されたように、シャッターグラスを着用していない第２ユーザ（USER 2）１７６０は、前記奇数番目フレーム（ODD FRAME）において生体効果映像（BIO EFFECT IMAGE）１９３０を提供されて、前記偶数番目フレーム（EVEN FRAME）において補償映像１９５０を提供されてもよい。それによって、第２ユーザ１７６０に生体効果映像１９３０および補償映像（COMPENSATING IMAGE）１９５０が交互に提供されることによって、第２ユーザ１７６０は、実質的に原本映像１９１０を認知してもよい。
【０２０５】
一方、他の実施例において、電子機器１７００は、シャッターグラス１７５０を含まないで、少なくとも一つの生体効果映像１９３０、少なくとも一つの補償映像１９５０、および複数の原本映像１９１０を一定の周期または可変周期で表示してもよい。この場合、電子機器１７００が生体効果映像１９３０を提供するか、ユーザは実質的に原本映像１９１０を認知してもよい。
【０２０６】
図５０は、本発明の実施例によるシャッターグラスを用いてユーザに生体効果映像または原本映像を選択的に提供する電子機器を示す図面であり、図５１は、本発明の実施例によるシャッターグラスを用いてユーザに生体効果映像または原本映像を選択的に提供するディスプレイ装置の駆動方法を説明するための図面であり、図５２は、図５１の駆動方法によって第１および第２ユーザに提供される映像フレームの一例を示す図面である。
【０２０７】
図５０、図５１および図５２を参照すると、電子機器２０００に含まれたディスプレイ装置２０２０は、あるフレームに相応する映像データを受信してもよい（Ｓ２１１０）。一方、電子機器２０００は、モバイル装置や、コンピューティング装置であってもよい。
【０２０８】
現在のフレームが奇数番目フレームである場合（Ｓ２１２０:ＯＤＤ）、電子機器２０００は、図５２に図示されたように、生体効果映像２０８０を生成および/または表示してもよい（Ｓ２１３０）。生体効果映像２０８０は、行動誘導映像、生体リズム制御映像、色弱補償映像または光治療映像や、前記原本映像と行動誘導映像、生体リズム制御映像、色弱補償映像または光治療映像の少なくとも一つが合成された映像であってもよい。実施例によって、生体効果映像２０８０は、ディスプレイ装置２０２０のディスプレイドライバで生成されたり、グラフィック処理部またはグラフィックカードで生成されたり、所定のコードを実行するプロセッサで生成されてもよい。電子機器２０００は、有無線の通信を通じて第１シャッターグラス２０５０をオープンさせて、第２シャッターグラス２０７０をクローズさせてもよい（Ｓ２１４０）。また、ディスプレイ装置２０２０は、生体効果映像２０８０を表示してもよい（Ｓ２１５０）。それによって、前記奇数番目フレームにおいて、生体効果映像２０８０が第１シャッターグラス２０５０を着用した第１ユーザ２０４０に提供されて、第２シャッターグラス２０７０を着用した第２ユーザ２０６０に提供されないことがある。
【０２０９】
現在のフレームが偶数番目フレームである場合（Ｓ２１２０:ＥＶＥＮ）、電子機器２０００は、原本映像２０９０に対する変調動作を行えないことがある。電子機器２０００は、有無線の通信を通じて第１シャッターグラス２０５０をクローズさせて、第２シャッターグラス２０７０をオープンさせてもよい（Ｓ２１７０）。また、ディスプレイ装置２０２０は、原本映像２０９０を表示してもよい（Ｓ２１８０）。それによって、前記偶数番目フレームにおいて、原本映像２０９０が第１シャッターグラス２０５０を着用した第１ユーザ２０４０に提供されずに、第２シャッターグラス２０７０を着用した第２ユーザ２０６０に提供されてもよい。それによって、第１シャッターグラス２０５０を着用した第１ユーザ２０４０に生体効果映像が合成された変調映像２０８０のみが提供されて、第２シャッターグラス２０７０を着用した第２ユーザ２０６０に原本映像２０９０のみが提供されてもよい。
【産業上の利用可能性】
【０２１０】
本発明は、任意のモバイル装置またはコンピューティング装置に適用されてもよい。例えば、本発明は携帯電話（Ｍｏｂｉｌｅ  Ｐｈｏｎｅ）、スマートフォン（Ｓｍａｒｔ  Ｐｈｏｎｅ）、タブレットコンピュータ（Ｔａｂｌｅｔ  Ｃｏｍｐｕｔｅｒ）、個人情報端末（ｐｅｒｓｏｎａｌ  ｄｉｇｉｔａｌ  ａｓｓｉｓｔａｎｔ；ＰＤＡ）、携帯型マルチメディアプレーヤー（ｐｏｒｔａｂｌｅ  ｍｕｌｔｉｍｅｄｉａ  ｐｌａｙｅｒ；ＰＭＰ）、デジタルカメラ（Ｄｉｇｉｔａｌ  Ｃａｍｅｒａ）、パーソナルコンピュータ（Ｐｅｒｓｏｎａｌ  Ｃｏｍｐｕｔｅｒ；ＰＣ）、サーバコンピュータ（Ｓｅｒｖｅｒ  Ｃｏｍｐｕｔｅｒ）、ワークステーション（Ｗｏｒｋｓｔａｔｉｏｎ）、ノートブック（Ｌａｐｔｏｐ）、デジタルＴＶ（Ｄｉｇｉｔａｌ  Ｔｅｌｅｖｉｓｉｏｎ）、セット−トップボックス（Ｓｅｔ−Ｔｏｐ  Ｂｏｘ）、音楽再生機（Ｍｕｓｉｃ  Ｐｌａｙｅｒ）、携帯用ゲームコンソール（Ｐｏｒｔａｂｌｅ  Ｇａｍｅ  Ｃｏｎｓｏｌｅ）、ナビゲーション（Ｎａｖｉｇａｔｉｏｎ）システムなどに適用されてもよい。
【０２１１】
前記では本発明の実施例を参照して説明したが、当該技術分野において通常の知識を持った者は下記の特許請求範囲に記載された本発明の思想および領域から逸脱しない範囲内で本発明を多様に修正および変更させる可能性があることを理解する。
【符号の説明】
【０２１２】
２６０、１２３０、１４９０、１５６０             映像処理部
２５０、１４８０                                 ディスプレイドライバ
２００、１２５０、１３５０                ディスプレイ装置
１４６０、１５８０、１６８０              ディスプレイ装置
１００、１２００、１３００                モバイル装置
１４００、１５００、１６００              コンピューティング装置
【図１】
2015215617.tif 000003
【図２】
2015215617.tif 000004
【図３】
2015215617.tif 000005
【図４】
2015215617.tif 000006
【図５】
2015215617.tif 000007
【図６】
2015215617.tif 000008
【図７】
2015215617.tif 000009
【図８】
2015215617.tif 000010
【図９】
2015215617.tif 000011
【図１０】
2015215617.tif 000012
【図１１】
2015215617.tif 000013
【図１２】
2015215617.tif 000014
【図１３】
2015215617.tif 000015
【図１４】
2015215617.tif 000016
【図１５】
2015215617.tif 000017
【図１６】
2015215617.tif 000018
【図１７】
2015215617.tif 000019
【図１８】
2015215617.tif 000020
【図１９】
2015215617.tif 000021
【図２０】
2015215617.tif 000022
【図２１】
2015215617.tif 000023
【図２２】
2015215617.tif 000024
【図２３】
2015215617.tif 000025
【図２４】
2015215617.tif 000026
【図２５】
2015215617.tif 000027
【図２６】
2015215617.tif 000028
【図２７】
2015215617.tif 000029
【図２８】
2015215617.tif 000030
【図２９】
2015215617.tif 000031
【図３０】
2015215617.tif 000032
【図３１】
2015215617.tif 000033
【図３２】
2015215617.tif 000034
【図３３】
2015215617.tif 000035
【図３４】
2015215617.tif 000036
【図３５】
2015215617.tif 000037
【図３６】
2015215617.tif 000038
【図３７】
2015215617.tif 000039
【図３８】
2015215617.tif 000040
【図３９】
2015215617.tif 000041
【図４０】
2015215617.tif 000042
【図４１】
2015215617.tif 000043
【図４２】
2015215617.tif 000044
【図４３】
2015215617.tif 000045
【図４４】
2015215617.tif 000046
【図４５】
2015215617.tif 000047
【図４６】
2015215617.tif 000048
【図４７】
2015215617.tif 000049
【図４８】
2015215617.tif 000050
【図４９】
2015215617.tif 000051
【図５０】
2015215617.tif 000052
【図５１】
2015215617.tif 000053
【図５２】
2015215617.tif 000054